(57)【特許請求の範囲】
【請求項１】
遊技機前面側が開放される筐体と、
遊技に関する各種制御を実施する制御手段と、
絵柄を変動表示する絵柄表示手段と、
を備えた遊技機において、
前記筐体から取り外し可能に設けられ、前記筐体内において該筐体が開放される前記遊技機前面側に位置する前側部と、前記筐体内において前記前側部よりも遊技機奥側に配置されて前記前側部と前記筐体の背板との間に位置する奥側部と、前記前側部と前記奥側部とを連結する連結部とを有し、これら前側部と奥側部と連結部によって前記制御手段及び前記絵柄表示手段を搭載する領域の外郭が形成されるベース体と、
前記奥側部において、前記遊技機前面側である前記ベース体の内側に取り付けられ、前記制御手段と前記ベース体の奥側部との間の位置にて、当該制御手段を支持する支持手段と、
前記制御手段と前記支持手段とを、該支持手段から前記制御手段を取り外す場合にその痕跡が残るようにするための封印状態とする封印手段と、
を備え、
前記支持手段は、前記奥側部において前記筐体の背板側となる前記ベース体の外側から締結具を用いて当該奥側部に締結されていることを特徴とする遊技機。
【発明の詳細な説明】
【技術分野】
【０００１】
本発明は、遊技機に関するものである。
【背景技術】
【０００２】
この種の遊技機として、スロットマシンでは、筐体内部にリール装置、メダル払出装置、各種制御装置（主基板を含む）、電源装置等が搭載され、筐体の前面側に開閉可能に取り付けられる前面扉にはメダル投入装置、スタートレバー、ストップボタン等が設けられている。遊技に際しては、遊技回毎に、遊技者によりメダル投入（又はベット操作）や始動操作が行われることでリール装置のリールが回転を開始し、該リールの外周面に付された図柄が表示窓を通じて可変表示される。リールの回転開始後には、遊技者によりストップボタンが押し操作されるか、或いは所定時間が経過することでリールが回転を停止する。そして、リール停止時において表示窓を通じて視認される停止図柄に応じてメダルの払出等、利益状態が遊技者に付与されるようになっている。
【０００３】
また近年では、例えば特許文献１において、リール装置と主基板とを枠状の支持体に搭載して交換ユニット（表示ユニット）を構成し、該交換ユニットを筐体内部に着脱自在に設けるようにした分離型スロットマシンが開示されている。
【０００４】
ここで、上記主基板といった制御手段は、不正取り外しの対象となり易く、その対策について未だ改良の余地がある。
【先行技術文献】
【特許文献】
【０００５】
【特許文献１】特開２００４−６７０号公報
【発明の概要】
【発明が解決しようとする課題】
【０００６】
本発明は、上記例示した事情等に鑑みてなされたものであり、筐体内部に制御手段を備えた遊技機において、制御手段を取り外しにくくすることで不正行為の抑制を図ることが可能な遊技機を提供することを目的とするものである。
【課題を解決するための手段】
【０００７】
請求項１記載の発明は、遊技機前面側が開放される筐体と、
遊技に関する各種制御を実施する制御手段と、
絵柄を変動表示する絵柄表示手段と、
を備えた遊技機において、
前記筐体から取り外し可能に設けられ、前記筐体内において該筐体が開放される前記遊技機前面側に位置する前側部と、前記筐体内において前記前側部よりも遊技機奥側に配置されて前記前側部と前記筐体の背板との間に位置する奥側部と、前記前側部と前記奥側部とを連結する連結部とを有し、これら前側部と奥側部と連結部によって前記制御手段及び前記絵柄表示手段を搭載する領域の外郭が形成されるベース体と、
前記奥側部において、前記遊技機前面側である前記ベース体の内側に取り付けられ、前記制御手段と前記ベース体の奥側部との間の位置にて、当該制御手段を支持する支持手段と、
前記制御手段と前記支持手段とを、該支持手段から前記制御手段を取り外す場合にその痕跡が残るようにするための封印状態とする封印手段と、
を備え、
前記支持手段は、前記奥側部において前記筐体の背板側となる前記ベース体の外側から締結具を用いて当該奥側部に締結されていることを特徴とする。
【発明の効果】
【０００８】
本発明によれば、制御手段を取り外しにくくすることで不正行為の抑制を図ることが可能となる。
【図面の簡単な説明】
【０００９】
【図１】一実施の形態におけるスロットマシンの全体構成を示す斜視図である。
【図２】スロットマシンの正面図である。
【図３】スロットマシンの側面図である。
【図４】前面扉を開いた状態のスロットマシンの斜視図である。
【図５】スロットマシンを２部材に分離した状態を示す斜視図である。
【図６】筐体の内部構造を示す斜視図である。
【図７】筐体の内部構造を示す正面図である。
【図８】ホッパ装置の構成を示す斜視図である。
【図９】リールユニットを斜め上方から見た斜視図である。
【図１０】リールユニットを斜め下方から見た斜視図である。
【図１１】リールユニットの正面図である。
【図１２】リールユニットの側面図である。
【図１３】リールユニットの背面図である。
【図１４】リールユニットを主要構成部品毎に分解して示す分解斜視図である。
【図１５】ベースフレームの構成を示す斜視図である。
【図１６】リールユニットを側方から見た状態でのユニット組み付け時の様子を示す概略図である。
【図１７】筐体に対するリールユニットの組み付け時の様子を斜め下方から見た一部破断斜視図である。
【図１８】上扉をリールユニットに装着した状態の正面図である。
【図１９】上側仕切板の構成を示す斜視図である。
【図２０】下側仕切板の構成を示す斜視図である。
【図２１】リール装置の全体を示す斜視図である。
【図２２】１つのリール構成を示す斜視図である。
【図２３】各リールを構成する帯状ベルトの展開図である。
【図２４】前面扉の背面構造を示す背面図である。
【図２５】前面扉の背面構造を示す背面図である。
【図２６】スロットマシンの前面構成について従来機との比較を示す正面図である。
【図２７】スロットマシンの内部構造について従来機との比較を示す正面図である。
【図２８】主基板ユニットの構成を示す平面図及び側面図である。
【図２９】主基板ユニットを表側から見た斜視図である。
【図３０】主基板ユニットを裏側から見た斜視図である。
【図３１】主基板ユニットの分解斜視図である。
【図３２】台座装置を構成する固定ベース板と可動ベース板とを拡大して示す分解斜視図である。
【図３３】主制御装置を構成する各ケース体と主基板とを拡大して示す分解斜視図である。
【図３４】第１封印部の周辺構成を拡大して示す平面図である。
【図３５】キャップ体の構成を示す斜視図である。
【図３６】封印ピン部材の構成を示す斜視図である。
【図３７】図２８のＡ−Ａ線端面図である。
【図３８】図２８のＢ−Ｂ線端面図である。
【図３９】第１封印部の封印処理を示す図２８のＣ−Ｃ線端面図である。
【図４０】図２８のＤ−Ｄ線端面図である。
【図４１】図２８のＥ−Ｅ線端面図である。
【図４２】鍵部材の取付状態を示す主基板ユニットの平面図である。
【図４３】主制御装置を台座装置から取り外す手順を示す図である。
【図４４】スロットマシンのブロック回路図である。
【図４５】別のスロットマシンの全体構成を示す斜視図である。
【図４６】別のスロットマシンの正面図である。
【発明を実施するための形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．前方に開放された筐体（筐体１１）と、
絵柄を変動表示する絵柄表示装置（リール装置４０６）を枠体（ベースフレーム４０１）に搭載して構成した表示ユニット（リールユニット４００）と、を備え、
前記筐体の内部に設けたユニット載置部（支持レール部材１５１，１５２）上を滑らせるようにして前記表示ユニットを筐体に対して着脱するようにした遊技機であって、
前記枠体において少なくとも前記表示ユニットの着脱時に前記ユニット載置部と対向する位置に滑り部（滑り部４１６ａ，４１８ａ）を一体成形したことを特徴とする遊技機。
【００１２】
手段１の遊技機では、絵柄表示装置を枠体に搭載してなる表示ユニットが、筐体に着脱可能な構成となっており、その装着時或いは離脱時には、筐体の内部に設けたユニット載置部上を滑らせるようにして表示ユニットの着脱作業が行われる。特に本手段では、枠体において、少なくとも表示ユニットの着脱時にユニット載置部と対向する位置に滑り部が一体成形されているため、表示ユニットの着脱時には滑り部によって表示ユニットの前後方向への移動が容易化される。この場合、滑り部は枠体の一部として一体成形されているために適度な摩擦抵抗を付与することができ、ローラを取り付けた従来技術とは異なり、不意に表示ユニットが移動してしまうといった不都合が抑制できる。また、ローラやその他付随する付加構成が不要となる。以上により、構成の簡素化を図り、しかも表示ユニットの着脱を容易とするという優れた効果が実現できる。
【００１３】
手段２．手段１において、前記枠体の底部の少なくとも２カ所に前記滑り部を設けたことを特徴とする遊技機。
【００１４】
手段２によれば、枠体の底部の少なくとも２カ所に滑り部を設けたため、適度な摩擦抵抗を付与しつつも、筐体に対して表示ユニットを着脱する際のある程度の滑り易さも生じさせることができる。筐体に対して表示ユニットを着脱する際の安定感も増す。例えば、枠体の底部に左右一対の滑り部を設けると良い。
【００１５】
手段３．手段１又は手段２において、前記滑り部を、枠体下方に突出し、外形線が曲線状をなすよう形成したことを特徴とする遊技機。
【００１６】
手段３によれば、滑り部が、枠体下方に突出し、外形線が曲線状（すなわちＲ形状）をなすよう形成されているため、表示ユニットの着脱時において、枠体とユニット載置部とが常に同じ状態で接触する。そのため、ユニット載置部に対して表示ユニットが若干傾いていても、当該表示ユニットを安定した状態で支えることが可能となり、表示ユニットの着脱の容易化に貢献できる。
【００１７】
手段４．手段１乃至手段３のいずれかにおいて、前記滑り部を、前記枠体の背側底部に設けたことを特徴とする遊技機。
【００１８】
手段４によれば、滑り部を枠体の背側底部に設けたため、表示ユニットの装着作業に際し、表示ユニットの手前側を持ち上げるようにしながら同表示ユニットを奥側へ押し込むことでその装着作業を行うことができる。この場合、作業性が向上する。表示ユニットの離脱作業時はその逆の作業を行えばよい。
【００１９】
手段５．手段１乃至手段４のいずれかにおいて、前記筐体に対して前記表示ユニットの装着を完了した状態では、前記滑り部が、前記ユニット載置部に設けた滑り面（支持レール部材１５１，１５２の水平部１５１ａ，１５２ａ）を通り過ぎた位置にあるよう構成したことを特徴とする遊技機。
【００２０】
手段５によれば、筐体に対して表示ユニットの装着を完了した状態では、表示ユニットの枠体に設けた滑り部が、ユニット載置部に設けた滑り面を通り過ぎた位置に移るため、滑り部が機能せず、表示ユニットの不意の移動が確実に抑制できる。
【００２１】
手段６．手段１乃至手段４のいずれかにおいて、前記ユニット載置部を、前記筐体の左右両側板（側板１１ｄ，１１ｅ）にそれぞれ設けたレール部材（支持レール部材１５１，１５２）で構成したことを特徴とする遊技機。
【００２２】
手段６によれば、ユニット載置部としてのレール部材は、筐体内部において左右両側に分離して設けられる。これにより、ユニット載置の機能を確保しつつ、遊技機全体としての重量軽減を図ることができる。
【００２３】
手段７．手段６において、前記レール部材は、前記筐体の前後方向に延びる水平部（水平部１５１ａ，１５２ａ）と、該水平部の筐体奥側の端部より下方に傾斜し前記表示ユニットの装着完了状態で前記滑り部を誘導する傾斜部（後方傾斜部１５１ｃ，１５２ｃ）とを含むものであることを特徴とする遊技機。
【００２４】
手段７によれば、表示ユニットの着脱時には、表示ユニットの枠体に設けた滑り部がレール部材の水平部上を滑り、同表示ユニットの装着完了時には、滑り部がレール部材の傾斜部に誘導される。故に、表示ユニットの装着が完了した状態では滑り部が機能せず、表示ユニットの不意の移動が確実に抑制できる。また、レール部材に水平部と傾斜部とを連続的に設けたことで、表示ユニットの出し入れが容易となる。
【００２５】
手段８．手段６において、前記レール部材は、前記筐体の前後方向に延びる水平部（水平部１５１ａ，１５２ａ）と、該水平部の筐体奥側の端部より下方に傾斜し前記表示ユニットの離脱時において前記滑り部を前記水平部まで誘導する傾斜部（後方傾斜部１５１ｃ，１５２ｃ）とを含むものであることを特徴とする遊技機。
【００２６】
手段８によれば、表示ユニットの離脱時において、レール部材の傾斜部によって、滑り部が水平部まで誘導される。従って、表示ユニットの装着完了状態からの離脱を容易に行うことができる。
【００２７】
手段９．手段７又は手段８において、前記傾斜部は、前記表示ユニットの装着完了時に前記滑り部がはまり込む部位であることを特徴とする遊技機。
【００２８】
手段９によれば、表示ユニットの装着完了状態では滑り部が傾斜部にはまり込み、滑り部は何ら機能しない。故に、表示ユニットの不意の移動が防止できる。
【００２９】
手段１０．手段１乃至手段９のいずれかにおいて、前記滑り部の前記ユニット載置部との対向面、又は前記ユニット載置部には、所定の摩擦係数を持たせた表層部を設けたことを特徴とする遊技機。
【００３０】
手段１０によれば、滑り部のユニット載置部との対向面、又はユニット載置部には、所定の摩擦係数を持たせた表層部が設けられるため、滑り部とユニット載置部との接触部において、作業負荷等を考慮した最適な摩擦抵抗を付与することが可能となる。
【００３１】
手段１１．手段１乃至手段１０のいずれかにおいて、前記枠体の底部には、前記滑り部に対して前記レール部材の横方向の長さ分だけ内側の位置に、前記滑り部よりも下方に突出するようにしてガイド部（ガイドリブ４３５，４３６）を設けたことを特徴とする遊技機。
【００３２】
手段１１によれば、枠体の底部に設けたガイド部により、表示ユニットが左右横方向にずれる等の不都合が抑制できる。故に、表示ユニットの装着又は離脱の作業性が向上する。
【００３３】
手段１２．手段１１において、前記ガイド部を、前記枠体の背側底部に設けたことを特徴とする遊技機。
【００３４】
手段１２によれば、ガード部を枠体の背側底部に設けたため、表示ユニットの手前側を持ち上げるようにしながら同表示ユニットを奥側へ押し込んで装着する場合に、その装着作業を補助することができる。この場合、作業性が向上する。特に前記手段４との組み合わせ（滑り部とガイド部を共に前記枠体の背側底部に設けた構成）によれば、より一層作業性が向上する。
【００３５】
手段１３．手段１１又は手段１２において、前記ガイド部を、左右一対設けたことを特徴とする遊技機。
【００３６】
手段１３によれば、ガイド部を左右一対設けることで、表示ユニットが筐体の側板に突き当たる等の不都合が解消できる。
【００３７】
手段１４．手段１乃至手段１３のいずれかにおいて、前記表示ユニットには、前記絵柄表示装置による表示制御や入賞判定を実施する制御装置（主制御装置２０１）を搭載したことを特徴とする遊技機。
【００３８】
表示ユニットに制御装置を搭載することにより、表示ユニットの交換時には、絵柄表示装置と制御装置とをまとめて交換できる。つまり、遊技機毎に固有となる構成を、それ以外と区別しつつまとめて交換できる。故に、表示ユニットを交換することで遊技機の機種変更が容易に実施できるようになる。
【００３９】
手段１５．手段１乃至手段１４のいずれかにおいて、前記筐体の前方開口部に少なくとも上下２つに分離可能な扉体（上扉１３，下扉１４）を設置する構成であって、そのうち上側の扉体（上扉１３）を前記表示ユニットに開閉可能に組み付けたことを特徴とする遊技機。
【００４０】
手段１５によれば、表示ユニットと扉体とを結合させて１ユニットとして扱うことができる。
【００４１】
手段１６．手段１乃至手段１５のいずれかにおいて、遊技機は、遊技媒体としてのメダルの投入（クレジットされた仮想メダルの投入を含む）と遊技者による所定の始動操作とを契機として前記絵柄表示装置としての回胴装置（リール装置４０６）の回転を開始すると共に、遊技者による所定の停止操作に伴い前記回胴装置の回転を停止し、その回転停止時において表示窓（表示窓２３）より視認できる停止絵柄に応じて遊技者に利益状態を付与する遊技機であること。
【００４２】
上述した各手段は、一般にスロットマシンと称される遊技機として好適に具体化できる。この遊技機は、所定の径寸法を有する回胴装置を備えており、一般に絵柄表示装置はパチンコ機などよりも大型となる。かかる場合に、上記の如く表示ユニットの着脱が容易となれば、技術的貢献度は大きいものとなる。
【００４３】
以下、遊技機の一種である回胴式遊技機、具体的にはスロットマシンに適用した場合の一実施の形態を、図面に基づいて詳細に説明する。図１はスロットマシン１０の全体構成を示す斜視図、図２はスロットマシン１０の正面図、図３はスロットマシン１０の側面図、図４は前面扉１２を開いた状態のスロットマシン１０の斜視図である。また、本スロットマシン１０では、前面扉１２が上下分離できる構成となっており、図５は、その分離状態の正面斜視図である。先ずは、図１〜図５に基づいて、スロットマシン１０の外観上の構成について説明する。なお、以下の説明において、特に指示しない限りはスロットマシン１０の正面視を基準に上下左右等の方向を特定することとする。
【００４４】
スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり（図６の筐体斜視図参照）、隣接する各板１１ａ〜１１ｅが接着等の固定手段によって固定されることにより、全体として前面側が開放された箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筐体１１は、遊技ホールへの設置の際にいわゆる島設備に対し釘を打ち付ける等して取り付けられる。
【００４５】
（前面扉１２の説明）
筐体１１の前面側には、前面開閉扉としての前面扉１２が開閉可能に取り付けられている。前面扉１２は、上下に分割可能な２体の扉体より構成されており、上側が上扉１３、下側が下扉１４となっている。上扉１３及び下扉１４は、筐体１１の前側開放部を全て塞ぐように設けられ、スロットマシン１０の左縁部を軸線として手前側に開放されるようになっている。この場合、上扉１３及び下扉１４は裏面側で連結部材により連結されており、基本的に両者一体で開放又は閉鎖される。但し、その詳細な構成は後述する。
【００４６】
上扉１３には、正面に向けて上下２つの遊技パネル部２１，２２が設けられている。このうち、上側の遊技パネル部２１はほぼ鉛直方向に設けられており、遊技パネル部２１を通じて上扉１３の背面側に設けられる液晶表示装置の画像等が表示される。この遊技パネル部２１は遊技者に各種情報を与える補助表示部を構成しており、同遊技パネル部２１を使って、遊技の進行に伴い各種表示演出が実行される。上側の遊技パネル部２１は下側の遊技パネル部２２よりも大きい構成となっており、この遊技パネル部２１により、大型の液晶表示装置の設置が可能となっている。本実施の形態では、例えば１５インチ液晶装置が遊技パネル部２１の裏面に設置される。
【００４７】
また、下側の遊技パネル部２２は若干上を向くような角度で設けられている。下側の遊技パネル部２２には、横長矩形状をなす表示窓２３が形成されている。表示窓２３は透明又は半透明の材質により構成されており、この表示窓２３を通じてスロットマシン１０の内部が視認可能となっている。なお、図示の表示窓２３に代えて、縦長の複数の表示窓を設けて各表示窓を横並びにするなど、他の構成としても良い。
【００４８】
実際には、上下の遊技パネル部２１，２２は、全体として１枚の透明パネルにて構成されており、その透明パネルの背面側に貼り付けた囲い部材（例えば黒色シート、フレーム等）により表示窓２３等が形成されている。また、透明パネルにおいて、上下の遊技パネル部２１，２２に相当する部位は平坦面であり、その間に細長く左右に延びる曲面部が形成されている。この場合、透明パネルの曲面部は表示窓２３にかからず、かつその背後が視認できないよう遮蔽されている。従って、曲面部を介してマシン内部に外光が侵入し、光の屈折等により後述するリールの図柄が見にくくなる等の不都合が回避できる。なお、上下の遊技パネル部２１，２２が１枚の透明パネルにて構成されることで、美観向上が図られている。
【００４９】
また、上述したような遊技パネル部２１，２２の大きさや設置角度等の各構成によれば、大型の液晶表示装置を用いた表示演出によって遊技者に多大なインパクトを与えることを可能にしつつ、本スロットマシン１０の主表示部たる表示窓２３を通じてのリール図柄の視認を良好なものとしている。
【００５０】
スロットマシン１０の正面視からすると、マシン前面部の概ね１／３又はそれ以上の面積を占めるようにして遊技パネル部２１が設けられている。これにより、下側の遊技パネル部２２（後述するリールを表示するための表示窓２３）は、スロットマシン１０のほぼ中央の高さ位置に設けられることとなっている。
【００５１】
上扉１３の上縁部及び左右両縁部には、遊技パネル部２１，２２を囲むようにして当該パネル部２１，２２よりも前方に張り出す囲い部２５が形成されており、囲い部２５の上部分には中央ランプ部２６と左右一対のスピーカ部２７とが設けられ、左右両部分には側方ランプ部２８が設けられている。中央ランプ部２６及び側方ランプ部２８は、遊技の進行に伴い点灯したり点滅したりし、スピーカ部２７は、遊技の進行に伴い種々の効果音を鳴らしたり、遊技者に遊技状態を報知したりする。
【００５２】
（下扉１４の説明）
また、下扉１４には、スロットマシン手前側に張り出すようにしてテーブル部４０が設けられている。テーブル部４０は、手前側の縁部が弧状をなす形状としており、その上面は、平坦で且つ手前側に向けて下方に傾斜している。テーブル部４０は、遊技者により操作される各種操作部材等を配備した操作部となっており、該テーブル部４０上には、メダル投入装置４１と、ベットスイッチ４２，４３，４４と、スタートスイッチ４５と、ストップ操作装置５０が配備されている。
【００５３】
メダル投入装置４１はテーブル部４０の上面右側に設けられており、該メダル投入装置４１の投入口より投資価値としてのメダルが１枚ずつ投入される。メダル投入装置４１は投資価値を入力する入力手段を構成する。また、メダル投入装置４１が遊技者によるメダルの直接投入という動作を伴う点に着目すれば、投資価値を直接入力する直接入力手段を構成するものともいえる。
【００５４】
メダル投入装置４１から投入されたメダルは、下扉１４の背面に設けられた通路切換手段に送られる。すなわち、下扉１４の背面には、通路切換手段としてのセレクタ９１が設けられており、メダル投入装置４１から投入されたメダルは、セレクタ９１によって貯留用通路９２か排出用通路９３のいずれかに導かれる（図４参照）。セレクタ９１にはメダル通路切換ソレノイドが設けられており、そのメダル通路切換ソレノイドの非励磁時にはメダル通路が排出用通路９３側とされ、励磁時には貯留用通路９２側に切り換えられる。この場合、貯留用通路９２に導かれたメダルは、後述するホッパ装置１１０へと導かれる。一方、排出用通路９３に導かれたメダルは、下扉１４に設けられたメダル排出口７２からメダル受皿７１へと導かれ、遊技者に返却される。
【００５５】
ベットスイッチ４２〜４４はテーブル部４０の上面左側に設けられており、各ベットスイッチ４２〜４４の押し操作によって、クレジット（仮想記憶）された仮想メダルが所定ベット数分ずつ投入される。この場合、ベットスイッチ４２が押し操作されることで仮想メダルが一度に３枚投入され、ベットスイッチ４３が押し操作されることで仮想メダルが一度に２枚投入され、ベットスイッチ４４が押し操作されることで仮想メダルが一度に１枚投入される。以下、ベットスイッチ４２をＭＡＸベットスイッチ、ベットスイッチ４３を２ベットスイッチ、ベットスイッチ４４を１ベットスイッチとも言う。本実施の形態では、ＭＡＸベットスイッチ４２を比較的大きなボタン状に設け、他のベットスイッチ４３，４４を比較的小さなボタン状に設けている。ベットスイッチ４３，４４は、２つ合わせて円形状となるよう半円形状で各々設けられている。各ベットスイッチ４２〜４４は前記メダル投入装置４１とともに投資価値を入力する入力手段を構成する。また、メダル投入装置４１が遊技者によるメダルの直接投入という動作を伴うのに対し各ベットスイッチ４２〜４４はクレジットに基づく仮想メダルの投入という動作を伴うに過ぎない点に着目すれば、投資価値を間接入力する間接入力手段を構成するものともいえる。
【００５６】
なお、ＭＡＸベットスイッチ４２には、１遊技回につき投入できるメダル最大数（３枚）に達していないことを促すため、図示しない発光部材としてのランプが内蔵されている。当該ランプは、ＭＡＸベットスイッチ４２のスイッチ操作が有効である状況時において点灯されて当該スイッチ４２の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００５７】
スタートスイッチ４５は、テーブル部４０の上面左側においてＭＡＸベットスイッチ４２よりも手前側に設けられており、概ねＭＡＸベットスイッチ４２と同形状をなす構成となっている。このスタートスイッチ４５は、後述するリール装置の各リール（回転体）を回転始動させるための操作部材であり、各リールを回転開始、すなわち可変表示を開始させるべく操作される開始操作手段又は始動操作手段を構成する。
【００５８】
ストップ操作装置５０は、テーブル部４０のほぼ中央位置に設置されており、略三角柱状をなしスロットマシン１０の左右方向に延びる基台部５１と、該基台部５１の前面側に並設された３つのストップスイッチ５２，５３，５４とよりなる。各ストップスイッチ５２〜５４は、停止対象となるリール（左、中、右の三列のリール）に対応するよう設けられており、回転中の各リールを個別に停止させるために操作される停止操作手段を構成する。この場合、ストップスイッチ５２〜５４は若干上向きに設けられている。各ストップスイッチ５２〜５４は、各リールが定速回転となると停止させることが可能な状態となり、かかる状態中には図示しないランプが点灯表示されることによって停止操作が可能であることが報知され、回転が停止すると消灯されるようになっている。
【００５９】
遊技者がストップスイッチ５２〜５４を押下操作する際には、例えば右手又は左手の親指で当該ストップスイッチ５２〜５４が押されることがあると考えられる。この場合、基台部５１が略三角柱状をなしていることから、親指以外の指を基台部５１の後側傾斜部に回したり、基台部５１の後側傾斜部を積極的に指掛け部として利用したりすることができる。
【００６０】
遊技者は各ストップスイッチ５２〜５４を力強く押下操作することもあるが、基台部５１を略三角柱状にしたことでその強度が十分に確保でき、ストップ操作装置５０の破損等の不具合の発生が抑制できるようになっている。また、後で詳しく説明するが、本スロットマシン１０では、各ストップスイッチ５２〜５４の位置が従来機よりも下方となっている（図２６参照）。かかる構成であっても、上記の通りストップスイッチ５２〜５４が若干上向きに設けられているため、操作性が良好なものとなる。
【００６１】
各ベットスイッチ４２〜４４の上方には、ボタン状の精算スイッチ５６が設けられている。すなわち、本スロットマシン１０では、所定の最大値（例えばメダル５０枚分）となるまでの余剰の投入メダルや入賞時の獲得メダルをクレジットメダルとして貯留記憶するクレジット機能を有しており、クレジットメダルが貯留記憶されている状態で精算スイッチ５６が押下操作されることで、クレジットメダルが現実のメダルとして払い出される。この場合、クレジットされた仮想メダルを現実のメダルとして払い出すという機能に着目すれば、精算スイッチ５６は貯留記憶された遊技価値を実際に払い出すための精算操作手段を構成するものともいえる。
【００６２】
なお、所定の最大値（例えばメダル５０枚分）となるまでの余剰の投入メダルや入賞時の獲得メダルをクレジットメダルとして貯留記憶するように設定された「クレジットモード」と、余剰の投入メダルや入賞時の獲得メダルを現実のメダルとして払い出すように設定された「ダイレクトモード」とを切換可能としたスロットマシンの場合には、前記精算スイッチ５６に、モード切換のための切換スイッチとしての機能を付加しても良い。この場合、精算スイッチ（切換スイッチ）５６は、１度押されるとオン状態になり、もう１度押されるとオフ状態になり、その後押下操作が行われるごとにオンオフが切り替わるように構成される。そして、精算スイッチ５６がオン状態のときにはクレジットモードとされ、精算スイッチ５６がオフ状態のときにはダイレクトモードとされる。クレジットモードからダイレクトモードに切り換えられた際にクレジットメダルがある場合には、その分のクレジットメダルが現実のメダルとして払い出される。これにより、遊技者はクレジットモードとダイレクトモードとを切り換えることで自身の好みに応じた形式で遊技を実行することができる。かかる精算スイッチ５６は投入価値及び遊技価値の取扱形式を切り換える切換操作手段を構成する。
【００６３】
また、遊技パネル部２２とテーブル部４０との間、すなわち下扉１４の上端部分には情報表示部６０が設けられている。情報表示部６０には、クレジットモード時に有効化されて貯留記憶されたメダル数を表示する残数表示部６１と、ビッグボーナスやレギュラーボーナス等の特別遊技状態の際に例えば残りのゲーム数等を表示するゲーム数表示部６２と、獲得メダルの枚数を表示する獲得枚数表示部６３とがそれぞれ設けられている。これら表示部６１〜６３は７セグメント表示器によって構成されているが、液晶表示器等によって代替することは当然可能である。
【００６４】
ここで、情報表示部６０は、前述したストップ操作装置５０の背後に位置しており、図２等の正面図で見ると、情報表示部６０が見にくくなっているが、実際には、ストップ操作装置５０を構成する基台部５１が略三角形状をなしてその背後が傾斜面となっており、かつ通常の遊技状態において遊技者は情報表示部６０を斜め上方から見るため、情報表示部６０が見づらいことはなく、視認し易さが確保されている。
【００６５】
図２に示すように、テーブル部４０の下部（メダル投入装置４１の下方）には、ボタン状の返却スイッチ６５が設けられている。返却スイッチ６５は、メダル投入装置４１に投入されたメダルがセレクタ９１内に詰まった際に押されるスイッチであり、このスイッチ６５が押されることによりセレクタ９１が機械的に連動して動作され、当該セレクタ９１内に詰まったメダルが後述するメダル排出口７２より返却されるようになっている。また、テーブル部４０の手前側頂部付近には、テーブルランプ部６６が設置されている。
【００６６】
テーブル部４０の下方には、機種名や遊技に関わるキャラクタなどが表示された下部プレート６７が装着され、更にその下方にはメダル受皿７１が設けられている。メダル受皿７１には、メダル排出口７２を介してスロットマシン内部のホッパ装置１１０等からメダルが排出される。メダル排出口７２の左右にはスピーカ部７３が設けられている。また、メダル受皿７１の左方には、手前側下方に反転可能な灰皿７５が設けられている。
【００６７】
下扉１４の前面には、上扉１３の囲い部２５に連続するような造形が施されており、メダル受皿７１及び灰皿７５の上方左右両側は側壁部７６，７７となっている。このうち、右側の側壁部７７には切欠部７８が設けられている。例えば、スロットマシン１０の側方（本実施の形態では右側）にメダル貸出装置が設置され、該メダル貸出装置からメダル供給ノズル等が延出される場合、切欠部７８にメダル供給ノズルが配され、このノズルを介してメダル受皿７１にメダルが貸出供給される。これにより、遊技に際しノズルが邪魔になる、貸出メダルがこぼれ落ちる等の不都合が解消される。
【００６８】
下扉１４の右端側にはその背後に貫通するキー孔８０が設けられており、そのキー孔８０には扉背面側からキーシリンダ６５５が設けられている。このキーシリンダ６５５は、前面扉１２（上扉１３及び下扉１４）を開放するために操作される施錠装置を構成するものである。但し、施錠装置の詳細は後述する。
【００６９】
また、本スロットマシン１０は、図５に示すように、上扉１３の背後にリールユニット４００が結合される構成となっており、上扉１３とリールユニット４００とを１つの結合ユニットとして当該ユニットを筐体１１側より分離させることができるようになっている。その詳細は後述する。
【００７０】
（筐体１１の内部構造）
次に、スロットマシン１０の内部構造について説明する。先ずは、筐体１１の内部構造について図６，図７を用いて説明する。図６は、筐体１１の内部構造を示す斜視図、図７は同内部構造を示す正面図である。
【００７１】
図６及び図７に示すように、筐体１１の内部において下側左隅部には電源ボックス１００が設けられている。電源ボックス１００は、各種電気装置や制御装置等に電源を供給するための電源装置であり、起動スイッチである電源スイッチや、スロットマシン１０の各種状態をリセットするためのリセットスイッチや、ホール管理者などがメダルの出玉調整を行うための設定キー挿入孔などを備えている。つまり、本スロットマシン１０は各種データのバックアップ機能を有しており、万一停電が発生した際でも停電時の状態を保持し、停電からの復帰（復電）の際には停電時の状態に復帰できるようになっている。この場合、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。また、ホール管理者等が設定キー挿入孔へ設定キーを挿入して操作することにより、スロットマシン１０の設定状態（当選確率設定処理）を「設定１」から「設定６」まで変更できるようになっている。
【００７２】
電源ボックス１００の右側には、メダルを遊技者に付与する払出手段としてのホッパ装置１１０が設置されている。図８はホッパ装置１１０の構成を示す斜視図である。ホッパ装置１１０は、多数枚のメダルを貯留可能な合成樹脂製の貯留タンク１１１と、貯留タンク１１１内のメダルを順次払い出す払出装置１１２とより構成されている。貯留タンク１１１は、上面開口部がほぼ正方形状をなし、下面が斜め下方に傾斜している。そして、ほぼ中央部に、払出装置１１２のメダル払出用回転板に通じる下部開口部１１３が形成されている。また、貯留タンク１１１には、タンク隅部にメダル排出孔１１４が形成されており、そのメダル排出孔１１４には金属製の誘導プレート１１５が取り付けられている。
【００７３】
払出装置１１２は、図示しないメダル払出用回転板を回転させることにより、貯留タンク１１１内のメダルを払出口１１７から排出する。払出口１１７から払い出されたメダルは、図４等に示す開口９４から排出用通路９３に入り、その排出用通路９３を介してメダル受皿７１へ排出される。
【００７４】
また、ホッパ装置１１０の右方には、貯留タンク１１１内に所定量以上のメダルが貯留されることを回避するための予備タンク１２０が設けられている。従って、貯留タンク１１１に多数のメダルが貯まり、その高さが、誘導プレート１１５が設けられた高さ以上になると、かかる余剰メダルが誘導プレート１１５により予備タンク１２０に導かれ、当該予備タンク１２０内で貯留されることとなる。
【００７５】
筐体１１の背板１１ｃには、貯留タンク１１１の上方位置に四角形状をなす孔部１２１が形成されている。この孔部１２１を介して、筐体外部から筐体内部に通じるメダル補給通路を設置することができるようになっており、メダル補給通路の設置により貯留タンク１１１へのメダルの自動補給が実現できるようになっている。なお、図７等では、孔部１２１が開放された状態を示しているが、孔部１２１を使用しない場合（メダルの自動補給を行わない場合等）には、孔部１２１は塞がれた状態となっている。但し、孔部１２１が塞がれた状態では、当該孔部１２１が容易に開放できるよう孔部１２１周囲に切欠が設けられていると良い。
【００７６】
また、筐体１１の左側板１１ｄには、下扉１４を開閉可能に支持するための扉支持金具１３１が取り付けられている。扉支持金具１３１には、上下２カ所に支軸１３２，１３３が設けられており、各支軸１３２，１３３には上方に延びる先細り形状の軸部がそれぞれ設けられている。また、筐体１１の右側板１１ｅには、下扉１４を閉鎖状態で保持するための鉤受け部１３５が取り付けられている。
【００７７】
筐体１１の左右両方の側板１１ｄ，１１ｅには、後述するリールユニット４００を搭載するための金属製の支持レール部材１５１，１５２が左右同じ高さで固定されている。各支持レール部材１５１，１５２は何れも同じ構造を有するものであるが、図６を用いて左側の支持レール部材１５１について説明すると、同支持レール部材１５１は、筐体１１ｄへの取付部となる取付板部の他に、前後方向に水平に延びる水平部１５１ａと、該水平部１５１ａよりも前側で下方に鉛直に折り曲げられた折曲部１５１ｂと、水平部１５１ａよりも後側で斜め下方に折り曲げられた後方傾斜部１５１ｃとを有する。折曲部１５１ｂには、手前側に延びるようにして先細り形状の突起１５１ｄが設けられている。なお、右側の支持レール部材１５２も同様に、水平部１５２ａ、折曲部１５２ｂ、後方傾斜部１５２ｃ、突起１５２ｄを有する。
【００７８】
筐体１１の左側板１１ｄには、そのほぼ中央位置に中継基板１５５が設けられている。また、筐体１１の左側板１１ｄ及び右側板１１ｅにはロック金具１５６，１５７が取り付けられており、このロック金具１５６，１５７によって、筐体１１に着脱自在に組み付けられる、後述するリールユニット４００が装着状態で固定されるようになっている。
【００７９】
更に、筐体１１の背板１１ｃの上部には、ウーハ装置（低音域再生用スピーカ）１５８が取り付けられている。この場合、ウーハ装置１５８はウーハユニットとして予め別途作製されたものであり、同ウーハ装置１５８が完成状態でそのまま筐体１１の背板１１ｃに取り付けられるようになっている。つまり、ウーハ設備取り付けのために、筐体１１に仕切板等によりウーハ室を形成しておくことなどが不要となる。従って、筐体１１単体の運搬時等の取り扱いが容易となる、ウーハ装置の取付作業が容易となる等のメリットが得られる。
【００８０】
（リールユニット４００全体の説明）
次に、上扉１３と一体化されるリールユニット４００の構造について説明する。図９はリールユニット４００を斜め上方から見た斜視図、図１０はリールユニット４００を斜め下方から見た斜視図、図１１はリールユニット４００の正面図、図１２はリールユニット４００の側面図、図１３はリールユニット４００の背面図、図１４はリールユニット４００を主要構成部品毎に分解して示す分解斜視図である。なお、リールユニット４００を構成する３列のリールの外周には、複数の図柄を付したベルトが巻回されるが、図９等にはベルトを巻回していない状態を示している。
【００８１】
リールユニット４００は、大別して、樹脂製のベースフレーム４０１と、同ベースフレーム４０１の左右両側に組み付けられる金属製の支持金具４０２，４０３と、同ベースフレーム４０１に組み付けられる金属製の上側仕切板４０４及び下側仕切板４０５と、これら各仕切板４０４，４０５の間に配設されるリール装置４０６と、主基板ユニット２００とを備える。以下、各構成部品を個々に詳しく説明する。
【００８２】
（ベースフレーム４０１の説明）
先ずは、ベースフレーム４０１の単体構成を図１５を用いて説明する。ベースフレーム４０１は、例えばＡＢＳ等の合成樹脂により一体成形されており、大別して左枠部４１１、右枠部４１２、上枠部４１３及び背面枠部４１４よりなる。この場合、ベースフレーム４０１を樹脂製一体成形品とすることで、製造が容易となる、リールユニット４００としての軽量化が図れる等のメリットが得られる。
【００８３】
左枠部４１１と右枠部４１２は概ね対称形状を有しており、背面枠部４１４との連結部として、左枠部４１１には中央連結部４１５と下連結部４１６とが形成され、右枠部４１２には中央連結部４１７と下連結部４１８とが形成されている。下連結部４１６，４１８は、リールユニット４００を筐体１１に組み付ける際において当該筐体１１の支持レール部材１５１，１５２（図７参照）上に搭載される被搭載部でもあり、その下面は前後方向に延びるようにして平坦面とされている。また、下連結部４１６，４１８の後端部分は一部が下方に突出しており、当該部分がリールユニット４００を筐体側に装着する際に用いる滑り部４１６ａ，４１８ａとなっている。滑り部４１６ａ，４１８ａは、ベースフレーム４０１の底部より下方に突出し、その外形線が曲線状（Ｒ形状）をなすよう形成されている。
【００８４】
上枠部４１３には、図１３（リールユニット４００の背面図）に見られるように、多数の補強リブ４２１が設けられており、その補強リブ４２１を設けた部分が格子状の補強バー部４２２となっている。補強バー部４２２の後方には複数箇所（図では３カ所）に開口部４２３が形成されており、補強バー部４２２を手で掴み、指を開口部４２３に通すことで、ベースフレーム４０１（リールユニット４００）を容易に持ち上げることができるようになっている。また、補強バー部４２２の前端部には、返し部４２４が形成されている。リールユニット４００を筐体１１に組み付けた際、返し部４２４が筐体１１の天板１１ａの前縁部に重なるようになっている（図４参照）。これにより、筐体１１と上扉１３との隙間から針金やフィルム等を侵入させようとしてもそれが阻止でき、不正行為の防止が図られている。
【００８５】
背面枠部４１４は、図１２（リールユニット４００の側面図）に見られるように、上背面部４３１と下背面部４３２とで２段に形成されており、上背面部４３１は、概ね平面形状、下背面部４３２は、上背面部４３１に対して後方に膨出するような形状となっている。下背面部４３２は、側方から見て上部と下部とが略四半円状をなしている。この場合、上背面部４３１よりも前方の空間は主基板ユニット２００の設置領域となり、下背面部４３２よりも前方の空間はリール装置４０６の設置領域となる。背面枠部４１４の最下部には、内側に突出するようにして３カ所に突起部４３３が設けられている。
【００８６】
上記の如く背面枠部４１４が段差状に形成されることで、下背面部４３２の前方領域においてリール装置４０６の設置領域が十分に確保できる。故に、リール装置４０６が無理なく収容できる。また、リールユニット４００を筐体１１に装着した状態では上背面部４３１の後方に空間が形成され、その空間にウーハ装置１５８が設置されるようになっている。更に、下背面部４３２の下部が略四半円状をなしているため、筐体１１の背板１１ｃに設けた孔部１２１（図７参照）にメダル補給通路を設置する場合にも、そのメダル補給通路をベースフレーム４０１に干渉することなく設けることができる。
【００８７】
背面枠部４１４の下面隅部において、左枠部４１１と右枠部４１２に設けた滑り部４１６ａ，４１８ａよりも内側には、該滑り部４１６ａ，４１８ａと同様、下方に突出するようにしてガイドリブ４３５，４３６が設けられている（図１０参照）。ガイドリブ４３５，４３６は、ベースフレーム４０１の奥行き位置が前記滑り部４１６ａ，４１８ａとほぼ同じであり、左右両枠部４１１，４１２の下連結部４１６，４１８の外面に対して、筐体１１に固定した支持レール部材１５１，１５２の幅分だけ内側の位置に設けられている。なおガイドリブは、左右の何れか一方にのみ設ける構成であっても良い。
【００８８】
ベースフレーム４０１の上記構成によれば、リールユニット４００を筐体１１に組み付ける際、下連結部４１６，４１８の滑り部４１６ａ，４１８ａが筐体１１側の支持レール部材１５１，１５２に接触しながらリールユニット４００が前方又は後方にスライド移動される。図１６は、リールユニット４００を側方から見た状態でのユニット組み付け時の様子を示す概略図である。但し図１６には、ベースフレーム４０１の左側の構成に対応する部材番号を付している。同図に示す符号４６５は、下側仕切板４０５の前縁部に設けられる折曲部であり（図２０参照）、その折曲部４６５には、支持レール部材１５１の突起１５１ｄに係合する係合孔が形成されている（下側仕切板４０５の詳細については後述する）。
【００８９】
図１６の（ａ）に示すように、リールユニット４００の装着時には、ベースフレーム４０１の滑り部４１６ａを支持レール部材１５１の水平部１５１ａ上に載せた状態で、手前側を僅かに持ち上げるようにしてリールユニット４００を筐体奥側（図の右方）に押し込む。この押し込みにより、支持レール部材１５１上を滑り部４１６ａが滑るようにしてリールユニット４００が移動する。このとき、滑り部４１６ａがベースフレーム４０１の背面寄りに設けられているために、いち早くリールユニット４００の重さを筐体１１側に預けることができる。また、滑り部４１６ａは外形線が曲線状（Ｒ形状）をなしていることから、リールユニット４００の傾きの状態にかかわらず滑り部４１６ａと支持レール部材１５１の水平部１５１ａとは常に同じ状態で接触する。従って、リールユニット４００の傾きの状態にかかわらず滑り部４１６ａの接触部には常に同じ摩擦抵抗を付与することができる。
【００９０】
そして、図１６の（ｂ）に示すように、滑り部４１６ａが支持レール部材１５１の後方傾斜部１５１ｃまで至ると、該滑り部４１６ａが後方傾斜部１５１ｃに誘導されてはまり込み、リールユニット４００が所定位置に装着される。このとき、後方傾斜部１５１ｃが設けられていないと、リールユニット４００は急に落ち込んで衝撃を受けるが、本実施の形態の構成によれば、リールユニット４００は後方傾斜部１５１ｃに沿って斜め下方に移動するため、衝撃を受ける等の不都合は生じない。また、リールユニット４００の装着完了状態では、滑り部４１６ａが後方傾斜部１５１ｃにはまり込んでいるため、同リールユニット４００が手前側に滑ってくるといった不都合も生じない。
【００９１】
一方、リールユニット４００を離脱させる際には、装着状態からリールユニット４００を手前側に引き寄せることで、滑り部４１６ａを後方傾斜部１５１ｃに沿って水平部１５１ａまで持ち上げる。このとき、滑り部４１６ａが後方傾斜部１５１ｃに誘導されるため、引き寄せは比較的容易である。そして、滑り部４１６ａを水平部１５１ａ上で滑らせるようにしてリールユニット４００を筐体手前側に引き寄せる。これにより、リールユニット４００の離脱が完了する。
【００９２】
図１７は、筐体１１に対するリールユニット４００の組み付け時の様子を斜め下方から見た一部破断斜視図である。この図１７に示すように、リールユニット４００の組み付け時には、支持レール部材１５１の内側端部が、背面枠部４１４の下隅部に設けたガイドリブ４３５に当たり、これによりリールユニット４００がガイドされる。従って、リールユニット４００が筐体１１に対して斜めに挿入されるといった不都合が規制されるようになっている（便宜上図示は省略するが、右側のガイドリブ４３６も同等に機能する）。
【００９３】
ここで、ガイドリブ４３５，４３６の先端部は、滑り部４１６ａ，４１８ａよりも下方に突出する構成となっている。従って、ユニット交換時等にリールユニット４００を床等に置いた場合には、滑り部４１６ａ，４１８ａではなくガイドリブ４３５，４３６の先端部が床等に当たることとなる。これにより、滑り部４１６ａ，４１８ａの表面が傷ついて滑り具合が悪くなったり、滑り部４１６ａ，４１８ａが破損したりする等の不具合が防止できる。つまり、ガイドリブ４３５，４３６は、滑り部部４１６ａ，４１８ａの保護機能を併せ有している。
【００９４】
（支持金具４０２，４０３の説明）
次に、支持金具４０２，４０３の構成を説明する。この支持金具４０２，４０３は、上扉１３の取付具としての機能と、ベースフレーム４０１の補強材としての機能とを有するものである。
【００９５】
図１１に示すように、支持金具４０２は長尺状をなしており、該支持金具４０２には上下２カ所に支軸４４１，４４２が設けられている。支持金具４０２の長さはベースフレーム４０１の左枠部４１１の長さとほぼ同じである。各支軸４４１，４４２には上方に延びる先細り形状の軸部がそれぞれ設けられている。支持金具４０２は、ベースフレーム４０１の左枠部４１１に組み付けられ、ビス等の締結具（図示略）により固定される。支持金具４０２をベースフレーム４０１に固定した状態で支持金具４０２に上扉１３が支持されることにより、上扉１３がベースフレーム４０１（リールユニット４００）に対して開閉可能な状態とされる。
【００９６】
また、支持金具４０３も同じく長尺状をなしており、該支持金具４０３には３つの鉤受け部４４４，４４５，４４６が設けられている。支持金具４０３は、ベースフレーム４０１の右枠部４１１に組み付けられ、ビス等の締結具（図示略）により固定される。支持金具４０３をベースフレーム４０１に固定した状態では、支持金具４０３により、ベースフレーム４０１（リールユニット４００）に開閉可能に支持された上扉１３が閉鎖状態で保持されるようになっている。
【００９７】
図１８は、上扉１３をリールユニット４００に装着した状態の正面図である。同図に示すように、上扉１３の上下方向の長さはベースフレーム４０１の上下方向の長さよりも短く、上扉１３をリールユニット４００に装着した状態では、リールユニット４００の一部が上扉１３の下方に露出する。この場合、支持金具４０３に設けた３つの鉤受け部４４４〜４４６のうち、上２つの鉤受け部４４４，４４５が上扉１３を閉鎖状態に保持する部材として機能する。なお、最下の鉤受け部４４６は、筐体１１側に設けた鉤受け部１３５（図７参照）と共に下扉１４を閉鎖状態に保持する部材として機能する。
【００９８】
また、支持金具４０２の上部にはフック金具４４３が取り付けられている。このフック金具４４３は、筐体１１の左側板１１ｄに設けたロック金具１５６に掛止され、筐体１１に装着した状態でリールユニット４００を固定するものであり、ロック金具１５６と共にユニット固定手段を構成する。右側の支持金具４０３にも同様のフック金具が取り付けられているが図示は省略している。支持金具４０３のフック金具は筐体１１の右側板１１ｅに設けたロック金具１５７に掛止され、前記フック金具４４３と同様、筐体１１に装着した状態でリールユニット４００を固定するものである（これらも同様にユニット固定手段を構成する）。
【００９９】
（上側仕切板４０４、下側仕切板４０５の説明）
次に、上側仕切板４０４と下側仕切板４０５の構成を図１９と図２０を用いて説明する。図１９に示すように、上側仕切板４０４は、長板状のベース部４５１を有しており、そのベース部４５１上にはリール駆動用の回路基板４５２が搭載されている。なお、回路基板４５２上には、リール装置４０６（後述する３つのリール４７１〜４７３）から延びる電気配線を束ねるためのクランプ部４５６が設けられている。また、ベース部４５１の左右両側は直角に折り曲げ形成されており、ベースフレーム４０１に対する取付部４５３，４５４となっている。この取付部４５３，４５４がネジ等の締結具によりベースフレーム４０１の中央連結部４１５，４１７に組み付けられることで、上側仕切板４０４がベースフレーム４０１に取り付けられるようになっている。ベース部４５１の前側縁部は取付部４５３，４５４の前端部よりも後退して設けられている。ベース部４５１の前側縁部は直角に折り曲げ形成されており、これが上側リール支持部４５５となっている。上側リール支持部４５５には、ねじ孔４５５ａが２つずつ３カ所に形成されている。
【０１００】
また、図２０に示すように、下側仕切板４０５は、長板状のベース部４６１を有している。ベース部４６１の左右両側と後側はそれぞれ直角に折り曲げ形成されており、ベースフレーム４０１に対する取付部４６２，４６３，４６４となっている。左右の取付部４６２，４６３がネジ等の締結具によりベースフレーム４０１の下連結部４１６，４１８に組み付けられることで、下側仕切板４０５がベースフレーム４０１に取り付けられるようになっている。また、後側の取付部４６４には、ベースフレーム４０１の背面枠部４１４に設けた突起部４３３に係合する係合孔４６４ａが形成されている。
【０１０１】
ベース部４６１の前側縁部には、左右両側に下方に折り曲げた折曲部４６５，４６６が形成されており、その折曲部４６５，４６６には、筐体１１に固定した支持レール部材１５１，１５２の突起１５１ｄ，１５２ｄに係合する係合孔４６５ａ，４６６ａが形成されている。ベース部４６１を上から見て前記折曲部４６５，４６６の間は、当該ベース部４６１の一部が切除されたような形状（言い換えれば、一部が後退したような形状）をなしている。
【０１０２】
折曲部４６５，４６６の間においてベース部４６１の前側縁部は直角に折り曲げ形成されており、これが下側リール支持部４６７となっている。下側リール支持部４６７には、ねじ孔４６７ａが２つずつ３カ所に形成されている。
【０１０３】
ここで、下側仕切板４０５（ベース部４６１）の前側縁部に形成された折曲部４６５，４６６と下側リール支持部４６７とを比べると、図１２に示すように、下側リール支持部４６７の方が僅かに長い構成となっている（図１２のＡ）。すなわち、下側リール支持部４６７の先端部が最下部となるよう構成されている。この場合、折曲部４６５，４６６は、筐体１１に対してリールユニット４００を位置決めし、更にリールユニット４００を固定するために重要な構成であり、ユニット交換時等にリールユニット４００を床等に置いた場合にも変形したり、破損したりしないようにする必要があるが、上記の如く下側リール支持部４６７の先端部が最下部となる構成とすることにより、リールユニット４００を不用意に床等に置いた場合にも折曲部４６５，４６６の変形や破損等を防止することができる。
【０１０４】
（リール装置４０６の説明）
次に、リール装置４０６の構成を図２１と図２２を用いて説明する。図２１に示すように、リール装置４０６は、左、中、右の３つのリール４７１〜４７３（左リール４７１，中リール４７２，右リール４７３）を備えて構成されており、これらにより可変表示手段を構成する。なお通常は、外周にフィルム状のベルトを巻回した状態のものをリールと称するが、ここではベルトの無い状態でリールを説明する。各リール４７１〜４７３は、何れも同一径の円筒状（円環状）にそれぞれ形成されており、その中心軸線が当該リールの回転軸線となるように回転可能に支持されている。各リール４７１〜４７３にはそれぞれステッピングモータが連結されており、各ステッピングモータの駆動により各リール４７１〜４７３が個別に、すなわちそれぞれ独立して回転駆動し得る構成となっている。モータ駆動系を含め各リール４７１〜４７３は全く同一の構成を有するものであり、ここでは図２２を用い、左リール４７１を例に挙げてその構成を説明する。
【０１０５】
図２２に示すように、リール４７１は、円筒状のかごを形成する円筒骨格部材であり、その外周面に図示しない帯状のベルトが巻回される構成となっている。リール４７１の中心部に形成されたボス部には、ステッピングモータ４７５の駆動軸が取り付けられている。従って、ステッピングモータ４７５の駆動軸が回転することによりその駆動軸を中心としてリール４７１が周回するようになっている。
【０１０６】
リール４７１は、金属製のリールプレート４７６にて回転可能に支持されており、具体的にはリールプレート４７６のほぼ中央部にステッピングモータ４７５が固定されている。リールプレート４７６は垂直に起立する板状をなしており、その上側には上側取付部４７７が折り曲げ形成され、下側には下側取付部４７８が折り曲げ形成されている。各取付部４７７，４７８には、ねじ孔４７７ａ，４７８ａが２つずつ形成されている。上側取付部４７７は、前記上側仕切板４０４の上側リール支持部４５５に対するリール取付部を構成するものであり、上側仕切板４０４の上側リール支持部４５５に上側取付部４７７を重ねた状態で、それら各部のねじ孔４５５ａ，４７７ａにビス等の締結具を螺入することにより、上側仕切板４０４にリール４７１が取り付けられることとなる。また、下側取付部４７８は、前記下側仕切板４０５の下側リール支持部４６７に対するリール取付部を構成するものであり、下側仕切板４０５の下側リール支持部４６７に下側取付部４７８を重ねた状態で、それら各部のねじ孔４６７ａ，４７８ａにビス等の締結具を螺入することにより、下側仕切板４０５にリール４７１が取り付けられることとなる。
【０１０７】
また、リール４７１の内周側には、リール外周側に向けて発光するバックライト装置４７９が配置されている。
【０１０８】
図示は省略するが、リールプレート４７６には、発光素子と受光素子とが所定間隔をおいて保持されたリールインデックスセンサ（回転位置検出センサ）が設けられている。また、リール４７１のボス部には、リール回転時において前記リールインデックスセンサの発光素子と受光素子との間を通過可能なセンサカットバンが設けられている。これにより、リール４７１が１回転するごとにセンサカットバンの先端部がリールインデックスセンサの発光素子と受光素子との間を通過し、その通過をリールインデックスセンサが検出する。そして、その検出信号が、後述する主制御装置２０１に出力され、主制御装置２０１はこの検出信号に基づいてリール４７１の角度位置を１回転ごとに検知する。
【０１０９】
ステッピングモータ４７５は例えば５０４パルスの駆動信号（励磁信号あるいは励磁パルスとも言う。以下同じ）を与えることにより１回転されるように設定されており、この励磁パルスによってステッピングモータ４７５の回転位置、すなわちリール４７１の回転位置が制御される。ここで、リール４７１のベルトの外周面には、識別情報としての図柄が等間隔ごとに多数印刷されている。ベルトの長辺方向（周回方向）に２１個の図柄が付されている場合、所定の位置においてある図柄から次の図柄へ切り替えるには２４パルス（＝５０４パルス÷２１図柄）を要する。この場合、リールインデックスセンサの検出信号が出力された時点からのパルス数により、リール４７１の回転位置が検出され、その結果からリール４７１の回転位置制御が行われるようになっている。
【０１１０】
他のリール４７２，４７３も同様の構成を有している。図２１には各々対応する符号を付してあり、簡単に説明すると、中リール４７２の中心部にはステッピングモータ４８１の駆動軸が取り付けられており、同モータ４８１の駆動軸が回転することによりその駆動軸を中心としてリール４７２が周回する。リールプレート４８２は、上側取付部４８３と下側取付部４８４とを有している。また、リール４７２の内周側にはバックライト装置４８５が配置されている。
【０１１１】
また、右リール４７３の中心部にはステッピングモータ４９１の駆動軸が取り付けられており、同モータ４９１の駆動軸が回転することによりその駆動軸を中心としてリール４７３が周回する。リールプレート４９２は、上側取付部４９３と下側取付部４９４とを有している。また、リール４７３の内周側にはバックライト装置４９５が配置されている。
【０１１２】
各リール４７１〜４７３を、リールユニット４００に組み付けた状態を図９〜図１１等に示す。この状態において、各リール４７１〜４７３は個別に取り外しが可能となっており、１つずつの部品交換が可能となっている。
【０１１３】
なお、モータ駆動系を含め各リール４７１〜４７３が全く同一の構成を有するため、電気配線は自ずと長めとなるが、その電気配線は束ねられ、上側仕切板４０４上の回路基板４５２に設けたクランプ部４５６により拘束されるようになっている。モータ駆動系を含め各リール４７１〜４７３が全く同一の構成を有することにより、設計上、製造上のコストダウンが実現できる。
【０１１４】
リールユニット４００がスロットマシン１０に組み付けられた状態では、各リール４７１〜４７３の表面の一部（ベルトの一部）が、上扉１３に設けられた表示窓２３を通じて視認可能となる。この場合、各リール４７１〜４７３が正回転すると、表示窓２３を通じて各リール４７１〜４７３の表面（ベルトの図柄）は上から下へ向かって移動しているかのように映し出される。各リール４７１〜４７３に付された図柄のうち、表示窓２３を介して全体を視認可能な図柄数は、主として表示窓２３の上下方向の長さによって決定される所定数に限られている。本実施の形態では各リール３個ずつとされている。このため、各リール４７１〜４７３がすべて停止している状態では、３×３＝９個の図柄が遊技者に視認可能な状態となる。
【０１１５】
（リール図柄の説明）
ここで、各リール４７１〜４７３に付される図柄について説明する。図２３には、各リール４７１〜４７３のそれぞれに巻かれるベルトに描かれた図柄配列が示されている。同図に示すように、各リール４７１〜４７３にはそれぞれ２１個の図柄が一列に設けられている。各リール４７１〜４７３に対応して番号が１〜２１まで付されているが、これは説明の便宜上付したものであり、リール４７１〜４７３に実際に付されているわけではない。但し、以下の説明では当該番号を使用して説明する。
【０１１６】
図柄としては、ビッグボーナスゲームに移行するための第１特別図柄としての「７」図柄（例えば、左ベルト第２０番目）と「青年」図柄（例えば、左ベルト１９番目）とがある。また、レギュラーボーナスゲームに移行するための第２特別図柄としての「ＢＡＲ」図柄（例えば、左ベルト第１４番目）がある。また、リプレイゲームに移行するための第３特別図柄としての「リプレイ」図柄（例えば、左ベルト第１１番目）がある。また、小役の払出が行われる小役図柄としての「スイカ」図柄（例えば、左ベルト第９番目）、「ベル」図柄（例えば、左ベルト第８番目）、「チェリー」図柄（例えば、左ベルト第４番目）がある。左、中、右の各ベルトには図柄の数や配置順序が全く異なるものとして、上記の各図柄が付されている。
【０１１７】
なお、リールユニット４１の各リール４７１〜４７３は識別情報を可変表示する可変表示手段の一例であり、主表示部を構成する。但し、可変表示手段はこれ以外の構成であってもよい。例えば、リール４７１〜４７３を構成する円筒枠を作製し、その円筒枠の外周面に印刷やシール貼着等により図柄を付した構成（いわゆるドラム装置）としたり、ベルトを周回させるタイプ等の他の機械的なリール構成としたりしてもよい。この場合、ベルトの周回軌跡は真円状でなく、楕円状であっても良い。また、機械的なリール構成に代えて、或いはこれに加えて、液晶表示器、ドットマトリックス表示器等の電気的表示により識別情報を可変表示させるものを設けてもよく、この場合は表示形態に豊富なバリエーションをもたせることが可能となる。
【０１１８】
（前面扉１２の背面構造）
次に、前面扉１２の背面構造を図２４と図２５を用いて説明する。図２４は前面扉１２の背面図であり、図２５は前面扉１２の上扉１３と下扉１４とを分離させて示す背面図である。
【０１１９】
（上扉１３の背面構造）
上扉１３の背面において、前記遊技パネル部２１（図１等参照）の背面側には液晶表示装置６００が配設されており、更に液晶表示装置６００の背面側には表示制御装置６０１が配設されている。液晶表示装置６００は、例えば１５インチ液晶パネル６００ａと、該液晶パネル６００ａを駆動する駆動装置６００ｂとにより構成され、液晶パネル６００ａの表示画像が扉前面側の遊技パネル部２１を通じて前方に表示される。表示制御装置６０１は、液晶表示装置６００をはじめ、その他ランプ類やスピーカ類等を駆動する。
【０１２０】
また、液晶表示装置６００の上方には左右２カ所にスピーカ６０３，６０４が配されている。
【０１２１】
液晶表示装置６００よりも下方には、前述した表示窓２３が形成されており、その上方には細長形状の蛍光灯などよりなるフロントライト６０５が配設されている。符号６０６は、フロントライト６０５を駆動するためのフロントライト駆動回路であり、当該ライトのちらつき等を解消するためのインバータ等を含む。
【０１２２】
上扉１３の背面右端部（扉正面から見ると左端部）には基枠６１１が固定されており、その基枠６１１には、前記リールユニット４００に取り付けられた支持金具４０２の支軸４４１，４４２に対応して上下２カ所に軸受け金具６１２，６１３が設けられている。この軸受け金具６１２，６１３には、支軸４４１，４４２の軸部を挿入するための挿入孔が形成されている。
【０１２３】
上扉１３をリールユニット４００に組み付ける際、リールユニット４００に取り付けた支持金具４０２の各支軸４４１，４４２の上方に上扉１３の各軸受け金具６１２，６１３を配置した状態で上扉１３を降下させる。これにより、各軸受け金具６１２，６１３の挿入孔に各支軸４４１，４４２の軸部が挿入された状態となり、リールユニット４００に対して上扉１３が開閉可能に支持される。つまり、上扉１３はリールユニット４００に対して両支軸４４１，４４２を結ぶ上下方向へ延びる開閉軸線を中心として回動可能に支持され、その回動によってリールユニット４００に対して上扉１３が開放又は閉鎖されるようになる。
【０１２４】
また、上扉１３の背面左端部（扉正面から見ると右端部）には、上下方向に延びる基枠６１５が固定されており、その基枠６１５には、当該基枠６１５に対して上下方向に移動可能に組み付けられた長尺状の連動杆６１６が設けられている。連動杆６１６には鉤形状をなす上下一対の鉤金具６１７，６１８が設けられている。なお、図２４，図２５では、連動杆６１６の鉤金具６１７，６１８が確認しにくいため、図４の斜視図を参照されたい。図４では、上扉１３の開閉端側に上下一対の鉤金具６１７，６１８が確認できる。鉤金具６１７，６１８は、その中間部分が基枠６１５側に軸支されており、連動杆６１６が上方に移動することでその先端鉤部が下方に移動する構成となっている。
【０１２５】
上記の如くリールユニット４００に対して上扉１３を開閉可能に取り付けた状態で、リールユニット４００に対して上扉１３を閉じると、リールユニット４００に取り付けられた支持金具４０３の鉤受け部４４４，４４５に、上扉１３の連動杆６１６に設けられた鉤金具６１７，６１８が係合し、上扉１３が閉鎖状態で保持される。
【０１２６】
（下扉１４の背面構造）
下扉１４の背面には、前述した通り通路切換手段としてのセレクタ９１、貯留用通路９２、排出用通路９３等が設けられている。また、排出用通路９３の左右両側にはスピーカ６３１，６３２が設けられている。符号６３３は、下扉１４の前面側に設けた下部プレート６７用の照明装置（蛍光灯）を駆動するための照明装置駆動回路であり、当該照明装置のちらつき等を解消するためのインバータ等を含む。
【０１２７】
下扉１４の背面右端部（扉正面から見ると左端部）には基枠６４１が固定されており、その基枠６４１には、前記筐体１１に取り付けられた扉支持金具１３１の支軸１３２，１３３に対応して上下２カ所に軸受け金具６４２，６４３が設けられている。この軸受け金具６４２，６４３には、支軸１３２，１３３の軸部を挿入するための挿入孔が形成されている。
【０１２８】
下扉１４を筐体１１に組み付ける際、筐体１１に取り付けた扉支持金具１３１の各支軸１３２，１３３の上方に下扉１４の各軸受け金具６４２，６４３を配置した状態で下扉１４を降下させる。これにより、各軸受け金具６４２，６４３の挿入孔に各支軸１３２，１３３の軸部が挿入された状態となり、筐体１１に対して下扉１４が開閉可能に支持される。つまり、下扉１４は筐体１１に対して両支軸１３２，１３３を結ぶ上下方向へ延びる開閉軸線を中心として回動可能に支持され、その回動によって筐体１１に対して下扉１４が開放又は閉鎖されるようになる。
【０１２９】
また、下扉１４の背面左端部（扉正面から見ると右端部）には、上下方向に延びる基枠６４５が固定されており、その基枠６４５には、当該基枠６４５に対して上下方向に移動可能に組み付けられた長尺状の連動杆６４６が設けられている。連動杆６４６には鉤形状をなす上下一対の鉤金具６４７，６４８が設けられている。なお、図２４，図２５では、連動杆６４６の鉤金具６４７，６４８が確認しにくいため、図４の斜視図を参照されたい。図４では、下扉１４の開閉端側に上下一対の鉤金具６４７，６４８が確認できる。鉤金具６４７，６４８は、その中間部分が基枠６４５側に軸支されており、連動杆６４６が上方に移動することでその先端鉤部が下方に移動する構成となっている。
【０１３０】
上記の如く筐体１１に対して下扉１４を開閉可能に取り付けた状態で、筐体１１に対して下扉１４を閉じると、リールユニット４００に取り付けられた支持金具４０３の鉤受け部４４６と筐体１１に取り付けられた鉤受け部１３５とに、下扉１４の連動杆６４６に設けられた鉤金具６４７，６４８が係合し、下扉１４が閉鎖状態で保持される。
【０１３１】
上扉１３と下扉１４とは、それらの背面左端部（扉正面から見ると右端部）で連結板６５１により連結されている。すなわち、上扉１３の基枠６１５と下扉１４の基枠６４５とに重なり合わせて連結板６５１が設けられ、ビス等の締結具により連結が施されている。この連結により、上扉１３と下扉１４とは一体的に開閉する。この場合、仮に下扉１４だけを開放することができる構成であれば、下扉１４だけの開放行為は比較的目立ちにくいため、不正行為として行われる可能性が高いが、本スロットマシン１０では、通常時において（すなわち、連結板６５１を取り付けた状態において）下扉１４単独での開放が不可能となっているために不正行為の抑制が可能となる。つまり、不正目的で前面扉１２を開放する際には、上扉１３及び下扉１４が共に開放されるのでその開放行為が目立ち、それにより不正行為が抑止できる。
【０１３２】
上扉１３に設けた連動杆６１６の下端部には水平方向に折り曲げられた折曲部６１６ａが形成されると共に、下扉１４に設けた連動杆６４６の上端部には水平方向に折り曲げられた折曲部６４６ａが形成されている。これら各連動杆６１６，６４６の折曲部６１６ａ，６４６ａは、上扉１３と下扉１４とを連結した状態では互いに接触している。
【０１３３】
上扉１３と下扉１４に設けた連動杆６１６，６４６は、これら各扉１３，１４を開放不能な施錠状態で保持する施錠機構を構成するものであり、下扉１４の背面左端部に設けた基枠６４５には、解錠操作部たるキーシリンダ６５５が設けられている。このキーシリンダ６５５は、スロットマシン１０の前後方向に延びる向きで設けられており、シリンダ前面（キー挿入孔の設置側）は扉前面に設けたキー孔８０から露出している。上下の各扉１３，１４の連動杆６１６，６４６を含む施錠機構と、キーシリンダ６５５と、キーシリンダ６５５に挿入されて所定方向に回動操作される操作キー（図示略）とがスロットマシン施錠装置を構成する。なお、キーシリンダ６５５として、不正解錠防止機能の高いオムロック（登録商標）を用いる構成としても良い。
【０１３４】
かかる場合、キーシリンダ６５５に操作キーを差し込んだ状態で、当該操作キーを時計回り方向に回動操作すると、連動杆６４６が上方に移動する（扉背面から見るとキーシリンダ６５５が反時計回り方向に回るため）。これにより、下扉１４において連動杆６４６の鉤金具６４７，６４８の先端鉤部が下方に移動し、筐体１１に対して下扉１４が閉じている場合に、鉤金具６４７，６４８と、リールユニット４００側の鉤受け部４４６及び筐体１１側の鉤受け部１３５との係止状態（すなわち施錠状態）が解除される。これにより、筐体１１に対して下扉１４が開放可能となる。
【０１３５】
またこのとき、下扉１４側の連動杆６４６の折曲部６４６ａにより上扉１３側の連動杆６１６の折曲部６１６ａが持ち上げられ、下扉１４側の連動杆６４６に連動して上扉１３側の連動杆６１６が上方へ移動する。そのため、上扉１３において連動杆６１６の鉤金具６１７，６１８の先端鉤部が下方に移動し、筐体１１（リールユニット４００）に対して上扉１３が閉じている場合に、鉤金具６１７，６１８とリールユニット４００側の鉤受け部４４４，４４５との係止状態（すなわち施錠状態）が解除される。これにより、筐体１１（リールユニット４００）に対して上扉１３が開放可能となる。
【０１３６】
因みに、操作キーを逆方向（反時計回り方向）に回動操作すると、連動杆６４６が下方に移動し、それを図示しないセンサが検知することでスロットマシン１０がリセットされるが、その際、下扉１４側の連動杆６４６だけが移動し、上扉１３側の連動杆６１６は移動しない。
【０１３７】
（本機と従来機との比較）
ここで、本実施の形態におけるスロットマシン１０の主たる特徴的構成を、既存のスロットマシンとの比較に基づいて説明する。なお便宜上、本実施の形態のスロットマシン１０を「本機」、既存のスロットマシン１０００を「従来機」とも言う。図２６は、スロットマシンの前面構成を比較するものであり、（ａ）には本機の構成を、（ｂ）には従来機の構成を示す。また、図２７は、スロットマシンの内部構造を比較するものであり、（ａ）には本機の内部構造を、（ｂ）には従来機の内部構造を示す。
【０１３８】
既存のスロットマシン１０００の構成について主要な構成を簡単に説明する。図２６の（ｂ）において、本機と同様、従来機（スロットマシン１０００）は前面に開口する筐体１００１を有しており、その前面側には前面扉１００２が取り付けられている。筐体の大きさは本機、従来機とも同じである。前面扉１００２の上部には補助表示部１００３が設けられ、その下方には表示窓１００４が設けられている。表示窓１００４の下方には、手前側に張り出した操作部１０１０が設けられている。操作部１０１０の上面にはメダル投入装置１０１１とベット操作スイッチ１０１２とが設けられ、同操作部１０１０の前面にはスタートレバー１０１３と３つのストップボタン１０１４とが設けられている。前面扉１００２の下部にはメダル受皿１０１５が設けられている。
【０１３９】
また、図２７の（ｂ）において、筐体１００１にはその内部を上下に分割する仕切板１０２１が設けられており、その仕切板１０２１上にリールユニット１０２２が載置されている。筐体１００１の背板において、リールユニット１０２２の上方には主制御装置１０２３が取り付けられている。なお、従来機の場合、本機とは異なり、リールユニット１０２２と主制御装置１０２３とは各々個別に筐体１００１に取り付けられている。また、仕切板１０２１の下方には、電源装置１０２４とホッパ装置１０２５とが配設されている。
【０１４０】
図２６に基づいて前面構成について比較する。まず第一に印象付けられるのは上側の遊技パネル２１の大きさである。この遊技パネル２１の背後には、前述したように１５インチ程度の大型液晶装置が搭載され、各種多様な表示演出が行われるようになっている。そして、液晶装置の大型化に付随して表示窓２３の設置位置が、従来機よりも下方となっている。比較すると、従来機ではマシン下面から表示窓１００４の中心までの高さが「Ｌ１１」であるのに対し、本機ではマシン下面から表示窓２３の中心までの高さが「Ｌ１」となっている（Ｌ１＜Ｌ１１）。
【０１４１】
また、表示窓の位置が下方にずれたことにより、操作部の各種スイッチ等の位置も下方にずれ、従来機ではマシン下面から各種スイッチ等までの高さが「Ｌ１２」であるのに対し、本機ではマシン下面から各種スイッチ等までの高さが「Ｌ２」となっている（Ｌ２＜Ｌ１２）。この場合、操作部が下方にずれた構成でも、各種スイッチ等の操作性を維持すべく、操作部をテーブル部４０として構成している。また、始動操作手段の操作性を良くするために、従来機のレバー部材（スタートレバー１０１３）を、ボタン状のスイッチ部材（スタートスイッチ４５）に変更している。
【０１４２】
次に、図２７に基づいて筐体内部構造について比較する。ここでの最も大きな違いは、リールユニットの位置である。すなわち、リールユニットの載置部材（本機では下側仕切板４０５、従来機では仕切板１０２１）を基準にすると、従来機ではマシン下面から仕切板１０２１までの高さが「Ｌ１３」であるのに対し、本機ではマシン下面から下側仕切板４０５までの高さが「Ｌ３」となっている（Ｌ３＜Ｌ１３）。このリールユニットの位置の違いが、スロットマシン前面部の表示窓の位置の違いとなる。
【０１４３】
リールユニットの位置変更に伴い、本機ではリールユニット４００の下方領域が狭小化されており、それ故に、ホッパ装置１１０が背の低い構成のものに変更されている。またこの場合、リールユニット下方の仕切板とホッパ装置との距離は、従来機で「Ｌ１４」であるのに対し、本機では「Ｌ４」となっている（Ｌ４＜Ｌ１４）。これは、上記の如く狭小化されたリールユニット下方領域に、少しでも大きなホッパ装置を搭載したいためである。但し本機では、ホッパ装置１１０の高さ寸法を小さくした分、貯留タンク１１１の横方向（前後、左右方向）の寸法を大きくし、タンク容量の確保を図っている。
【０１４４】
本機においてこうしたホッパ装置１１０の設置条件では、リールユニット下方の仕切板４０５とホッパ装置１１０との距離が短いために、貯留タンク１１１へのメダルの供給又は取り出しの操作が困難になることが懸念される。これに対し本機では、前述したように、下側仕切板４０５の前側縁部が左右の折曲部４６５，４６６の間で一部が切除されたような形状をなしている。この形状はホッパ装置１１０の位置に対応しており、それにより、ホッパ装置１１０（貯留タンク１１１）へのメダルの供給又は取り出しの操作を容易化している。
【０１４５】
また、本機の場合、筐体１１の左右の側板１１ｄ，１１ｅに各々支持レール部材１５１，１５２を設け、その支持レール部材１５１，１５２にリールユニット４００を搭載する構成とした、すなわち筐体内部を上下に分割するような仕切板を設けていないため、リールユニット４００を搭載していない状態においてホッパ装置１１１や電源ボックス１００の設置領域が仕切られることはない。従って、上記の如くリールユニット４００の下方領域が狭小化された構成であっても、ホッパ装置１１１や電源ボックス１００の設置が困難になるといった不都合が生じないようになっている。そのメリットは、図６等により確認できる。
【０１４６】
（リールユニット４００の交換作業の説明）
ここで、遊技ホールでの機種入替時などにおけるリールユニット４００の交換作業について説明する。この場合、先ずは規定の操作キーを用いて下扉１４の施錠を解除し、上扉１３と共に下扉１４を開放する。また、上下の両扉１３，１４を連結している連結板６５１を取り外す。このとき、リールユニット４００と、それ以外の各種部材（電源ボックス１００、ホッパ装置１１０等々）とを結ぶ電気配線のコネクタを外しておく。その後、リールユニット４００を筐体１１に固定しているロック金具１５６，１５７のロック状態を解除し、上扉１３のみを閉じる。そして、リールユニット４００の手前側を少し持ち上げるようにしながら、当該ユニット４００を支持レール部材１５１，１５２上を滑らせるようにしながら手前側に引き寄せ、リールユニット４００を離脱させる。
【０１４７】
その後、新しいリールユニット４００を離脱時と逆の作業手順で装着する。すなわち、新しいリールユニット４００を、支持レール部材１５１，１５２上を滑らせるようにしながら筐体奥側に押し込み、リールユニット４００を筐体１１に搭載する。そして、一旦上扉１３を開放してロック金具１５６，１５７をロック状態とし、リールユニット４００を筐体１１に固定する。また、リールユニット４００と、それ以外の各種部材（電源ボックス１００、ホッパ装置１１０等々）とを結ぶ電気配線のコネクタを接続する。更に、上扉１３と下扉１４とを連結板６５１にて連結する。その後、上扉１３と下扉１４とを一緒に閉じると、スロットマシン１０が施錠状態となり、ユニット交換が完了する。なお、機種入替時には、下部プレート６７の差し替えも行われる。
【０１４８】
（遊技の概略説明）
次に、上記構成のスロットマシン１０について、遊技者により行われる遊技の概要を簡単に説明する。遊技の開始に際し、先ず遊技者がメダル投入装置４１に所定枚数のメダルを投入すると、メダルの投入数に応じてベットが設定される。このとき、投入メダル数が最大ベット（３ベット）より多ければ、クレジットモード下では、余剰投入されたメダルが５０を最大数としてクレジット（仮想記憶）され、ダイレクトモード下では、余剰投入されたメダルがメダル受皿７１に返却される。又は、クレジットモード下で、予め規定枚数以上のクレジットが残っている場合に、遊技者がベットスイッチ４２〜４４の何れかを押下すると、それに対応してベットが設定される。
【０１４９】
そして、ベット設定後において、遊技者がスタートスイッチ４５を押下すると、リールユニット４００の左・中・右の各リール４７１〜４７３が一斉に又は所定の順序で回転を開始する。その後、遊技者がストップスイッチ５２〜５４を押下すると、その押しタイミングに合わせて各々対応するリール４７１〜４７３の回転が停止される。或いは、各リール４７１〜４７３の回転開始後、ストップスイッチ５２〜５４の押下操作がなされないまま規定時間を経過した場合に、各リール４７１〜４７３の回転が停止される。
【０１５０】
左・中・右の各リール４７１〜４７３の回転停止時において、表示窓２３を通じて視認される停止図柄が規定の図柄に合致すれば、入賞とされて所定枚数のメダルの払出等が行われる。つまり、本実施の形態の構成では、図柄の停止時において、表示窓２３を通じて縦横３×３の合計９個の図柄が視認できる構成となっており、その９個の図柄に対して、例えば上段列（上ライン）、中段列（中ライン）、下段列（下ライン）、右上がり斜め列（右上がりライン）、及び右下がり斜め列（右下がりライン）の合計５つの有効ラインが設定されている。そして、これらの有効ラインの何れかに、規定の図柄が停止した場合に、それに対応する枚数のメダルが払い出される。
【０１５１】
ここで、入賞となった場合の各図柄に関する払出枚数の一例について説明する。以下に説明する図柄については前記図２３の図柄を参照されたい。
【０１５２】
小役図柄に関し、「スイカ」図柄が有効ライン上に左・中・右と揃った場合には１５枚のメダル払出、「ベル」図柄が有効ライン上に左・中・右と揃った場合には８枚のメダル払出、左リール４７１の「チェリー」図柄が有効ライン上に停止した場合には２枚のメダル払出が行われる。即ち、中リール４７２及び右リール４７３の「チェリー」図柄はメダル払出と無関係である。また、「チェリー」図柄に限っては、他の図柄との組合せとは無関係にメダル払出が行われるため、左リール４７１の複数の有効ラインが重なる位置（具体的には上段又は下段）に「チェリー」図柄が停止した場合には、その重なった有効ラインの数を乗算した分だけのメダル払出が行われることとなり、結果として本実施の形態では４枚のメダル払出が行われる。
【０１５３】
また、その他の図柄に関しては、第１特別図柄（ビッグボーナス図柄）の組合せである「７」図柄又は「青年」図柄が同一図柄にて有効ライン上に左・中・右と揃った場合には１５枚のメダル払出、第２特別図柄（レギュラーボーナス図柄）の組合せである「ＢＡＲ」図柄が有効ライン上に左・中・右と揃った場合にも１５枚のメダル払出が行われる。なお、本実施の形態においては、例えば「７」図柄と「チェリー」図柄とが同時に成立する場合が生じ得るが、かかる場合におけるメダル払出は１５枚である。これは、１回のメダル払出における上限枚数が１５枚に設定されているためである。
【０１５４】
更に、第３特別図柄の組合せである「リプレイ」図柄が有効ライン上に左・中・右と揃った場合にはメダル払出は行われない。その他の場合、即ち有効ライン上に左リール４７１の「チェリー」図柄が停止せず、また有効ライン上に左・中・右と同一図柄が揃わない場合には、一切メダル払出は行われない。
【０１５５】
（主基板ユニット２００の説明）
次に、リールユニット４００にリール装置４０６と共に収容される主基板ユニット２００の構成について説明する。図２８は（ａ）が主基板ユニット２００の平面図、（ｂ）が（ａ）の下方から見た側面図、図２９は同主基板ユニット２００を表側から見た斜視図、図３０は同主基板ユニット２００を裏側から見た斜視図、図３１は同主基板ユニット２００の分解斜視図である。まずは、これら図２８〜図３１を用いて主基板ユニット２００の概要について説明する。なお以下の主基板ユニット２００の説明では、特に指定しない限り図２８の状態を基準に左右方向を記述する。
【０１５６】
主基板ユニット２００は、遊技に関わる各種制御を実施する主制御装置２０１と、その主制御装置２０１を搭載する台座装置２１０とよりなる。主制御装置２０１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。
【０１５７】
主基板ユニット２００において、台座装置２１０は、リールユニット４００のベースフレーム４０１に固定される固定ベース板２１１と、この固定ベース板２１１に回動可能に支持される可動ベース板２１２とを有している。また、主制御装置２０１は、表裏一対のケース体２７１，２７２を有し、それら各ケース体２７１，２７２間に挟まれるようにして主基板２７３が収容されている。固定ベース板２１１、可動ベース板２１２及び各ケース体２７１，２７２は何れも、主基板２７３に合わせるようにして略横長四角状をなし、ポリカーボネート樹脂等の透明な合成樹脂材料により成形されている。なお以下の説明では、表側のケース体２７１を表ケース体、裏側のケース体２７２を裏ケース体とも言う。表ケース体２７１及び裏ケース体２７２により基板ボックスが構成されている。そして、リールユニット４００のベースフレーム４０１に台座装置２１０を組み付け、更に台座装置２１０の可動ベース板２１２上に主制御装置２０１を装着することで、主基板ユニット２００がリールユニット４００に取り付けられるようになっている。
【０１５８】
台座装置２１０の構成について図３２を用いて詳述する。図３２は、台座装置２１０を構成する固定ベース板２１１と可動ベース板２１２とを拡大して示す分解斜視図である。
【０１５９】
固定ベース板２１１において、底板部２１３には、左端部及び右端部に起立部２１４，２１５がそれぞれ形成されている。そのうち左端部側の起立部２１４には軸支部２１６が２カ所に設けられ、各軸支部２１６には上下方向に貫通する軸孔２１６ａが設けられている。各軸支部２１６の軸孔２１６ａには例えば鋼鉄製の支柱ピン２１７が組み付けられる構成となっている。右端部側の起立部２１５には上下２カ所に係止爪部２１８が設けられている。また、起立部２１５には鍵取付金具２１９が取付固定されている。この鍵取付金具２１９は、図示しないネジ等の固定具により根元部分が固定ベース板２１１に固定されている。鍵取付金具２１９の先端部は斜め外方に折り曲げられ、その折り曲げ部に鍵挿通孔２１９ａが形成されている（図３７等参照）。
【０１６０】
底板部２１３には縦横に交差するようにして複数のリブ２２１が形成されており、その複数のリブ２２１のうち中央部で左右方向に延びるリブ２２１上には左右両側に離れた２カ所に底孔部２２２ａ，２２２ｂが形成されている。固定ベース板２１１をリールユニット４００のベースフレーム４０１に取り付ける際には、底孔部２２２ａ，２２２ｂにネジ２２３が装着されてこのネジ２２３がベースフレーム４０１にねじ込まれる。更に、底孔部２２２ａ，２２２ｂには、ネジ２２３の頭部を覆い隠すようにしてキャップ体２２４が組み込まれるようになっている。図３５に示すように、キャップ体２２４には、その軸方向に延びる突起部２２４ａと、弾性変形可能な係止爪部２２４ｂとが２カ所ずつ形成されている。
【０１６１】
底板部２１３の裏面側には、その中央部に、リールユニット４００のベースフレーム４０１外側から固定ベース板２１１を固定するための固定金具２２５が取り付けられている。固定金具２２５の取り付け状態は図３０を併せ参照されたい。固定金具２２５は、略四角板状をなしており、左右２カ所で小ネジ２２６により底板部２１３に取り付けられる構成となっている。また、固定金具２２５の中心部にはネジ孔２２７が形成されている。固定金具２２５の四隅には、底板部２１３側に設けられた小突起（図示略）と係合状態となる位置決め孔２２８が設けられている。また、図３０に示すように、底板部２１３の裏面には、リールユニット４００のベースフレーム４０１に対する位置決めのための突起部２２９が複数箇所（本実施の形態では２カ所）に設けられている。
【０１６２】
ここで、図３７（図２８のＡ−Ａ線端面図）には、ベースフレーム４０１に対する固定ベース板２１１の取付構造を示す。図３７に示すように、底板部２１３の裏面に設けられた突起部２２９は、ベースフレーム４０１に設けられた位置決め孔部２３１に挿入され、これによりベースフレーム４０１に対して固定ベース板２１１が位置決めされる。そして、固定ベース板２１１の表側（すなわちベースフレーム４０１の内側）から底孔部２２２ａ，２２２ｂにネジ２２３が螺着されることで、固定ベース板２１１がベースフレーム４０１に固定される。ネジ２２３の螺着後、底孔部２２２ａ，２２２ｂにキャップ体２２４が組み込まれる。このとき、キャップ体２２４は底板部２１３の上面から突出することなく、底孔部２２２ａ，２２２ｂ内に没入した状態で保持される。キャップ体２２４が底孔部２２２ａ，２２２ｂに組み込まれた状態では、当該キャップ体２２４の係止爪部２２４ｂが底板部２１３側と係止状態となり、キャップ体２２４の抜け落ちが防止されるようになっている。これにより、ネジ２２３を緩めることが困難なものとなっている。
【０１６３】
また、ベースフレーム４０１には挿通孔２３２が形成されており、その挿通孔２３２にはベースフレーム４０１外側からネジ２３３が挿入され、そのネジ先端部が、固定ベース板２１１裏側の固定金具２２５に設けたネジ孔２２７にねじ込まれる。これにより、仮にベースフレーム４０１内側から前記ネジ２２３を取り外すことができたとしても、ベースフレーム４０１外側からもネジ２３３を取り外さない限りは固定ベース板２１１を取り外すことができないようになっている。要するに本実施の形態では、固定ベース板２１１の表側に螺着されたネジ２２３にキャップ体２２４を組み込むことで固定ベース板２１１の取り外しを困難にしているだけでなく、ベースフレーム４０１外側から固定ベース板２１１をネジ固定することで固定ベース板２１１の取り外しをより一層困難なものとしている。
【０１６４】
一方、可動ベース板２１２において、底板部２４１の長辺部（図３２の上下両端部）には側板部２４２，２４３が形成され、短辺部の一側（図３２の左側）には前記側板部２４２，２４３と連なるようにして段差部２４４が形成されている。これら側板部２４２，２４３及び段差部２４４は主制御装置２０１に合わせた高さを有する。側板部２４２，２４３の先端部には内側に折り曲げ形成された返し部２４２ａ，２４３ａが複数箇所（本実施の形態では各６カ所）に設けられている。底板部２４１の右端部は、主制御装置２０１をスライド装着するための基板装着口２４５となっている。この場合、主制御装置２０１を基板装着口２４５から装着し、段差部２４４に当たるまでスライドさせることで、主制御装置２０１が可動ベース板２１２上の所定位置に装着されるようになっている。
【０１６５】
段差部２４４には、主制御装置２０１のスライド方向に開口する開口部２４６と、その上面部（底板部２４１に対しての上面部分）に形成された係止孔部２４７と、係止孔部２４７を挟むようにして形成された一対の貫通孔２４８とが設けられている。係止孔部２４７と貫通孔２４８とが設けられた段差部２４４の上面部は、後述する封印シールＳの貼付面となっており、その貼付面を囲むようにして囲い枠３３１が形成されている。
【０１６６】
また、可動ベース板２１２の左端部には回動軸部２４９が設けられ、その回動軸部２４９には軸孔２４９ａが形成されている。かかる構成において、前記固定ベース板２１１の軸支部２１６と可動ベース板２１２の回動軸部２４９とが位置合わせされ、その状態で軸支部２１６及び回動軸部２４９の軸孔２１６ａ，２４９ａに支柱ピン２１７が挿通される。これにより、固定ベース板２１１に対して可動ベース板２１２が回動可能に支持される。
【０１６７】
軸支部２１６の軸孔２１６ａの孔径（設計寸法）は支柱ピン２１７の外径よりも僅かに小さく、回動軸部２４９の軸孔２４９ａの孔径は支柱ピン２１７の外径よりも僅かに大きくなっており、支柱ピン２１７を挿通させる際にはこの支柱ピン２１７が軸支部２１６の軸孔２１６ａに圧入される。このとき、支柱ピン２１７の頭部は軸支部２１６と面一の状態、又は軸孔２１６ａ内に没入した状態となり、支柱ピン２１７の抜き外しが不可能となっている。それ故、可動ベース板２１２は固定ベース板２１１に対して回動可能であるが、分離（連結解除）は不可能となっている。但し上記構成とは逆に、回動軸部２４９の軸孔２４９ａの孔径（設計寸法）を支柱ピン２１７の外径よりも僅かに小さくして、支柱ピン２１７を回動軸部２４９の軸孔２４９ａに圧入する構成であってもよい。回動軸部の構成としては要は、可動ベース板２１２が固定ベース板２１１に対して回動可能で、且つ分離不可能（連結解除不可能）となるよう構成すればよい。
【０１６８】
底板部２４１上には、第１封印部を構成する複数（本実施の形態では４個）の封印結合部２５１が縦一列に並ぶようにして立設されている。封印結合部２５１は、その底部が底板部２４１にて塞がれた筒体状をなしており、図の手前側にのみ開口している。この封印結合部２５１を含む第１封印部の構成については後述する。
【０１６９】
可動ベース板２１２の段差部２４４付近には、先端部に鍵挿通孔２６１ａを有する鍵取付金具２６１が取付固定されている。この鍵取付金具２６１は、図示しないネジ等の固定具により根元部分が可動ベース板２１２に固定されている。
【０１７０】
次に、主制御装置２０１の構成について詳述する。図３３は、主制御装置２０１を構成する各ケース体２７１，２７２と主基板２７３とを拡大して示す分解斜視図である。
【０１７１】
主基板２７３上には、図示しない配線パターンが施されるとともに、ＣＰＵやＲＯＭ等のＩＣチップ２７４を含む各種電子部品、入出力コネクタ２７５、検査用コネクタ２７６等が実装されている。特に、ＩＣチップ２７４は、基板面に対してチップが立った状態で実装される、いわゆるＺＩＰ（Zigzag In-line Package）タイプ構造又はＳＩＰ（Single In-line Package）構造等の縦型素子が採用されており、チップ側面には製造メーカ、品番といった識別情報や固有情報等が印刷されている。主基板２７３は、隅角部に複数設けられた小孔を通じてネジ２７７により表ケース体２７１に固定されるようになっている。
【０１７２】
表ケース体２７１は、主基板２７３上の比較的背の高い電子部品等を収容可能とする主基板収容部を有しており、周縁部には一段低い段部２８１が形成されている。段部２８１には、主基板２７３上の入出力コネクタ２７５を挿通させるための複数のコネクタ挿通孔２８２が形成されている。なお、符号２８３は、主基板２７３上の検査用コネクタ２７６に通ずる開口部である。図示は省略するが、表ケース体２７１の天井部分等には多数の通気孔が形成されている。
【０１７３】
また、表ケース体２７１の長辺部において上下各縁部には、表ケース体２７１の側壁に沿って直線状に延びる突条部２８５が設けられ、その突条部２８５の内側には複数の長孔２８６が所定間隔で一列に並ぶようにして設けられている。
【０１７４】
表ケース体２７１の左端部（主基板収容部よりも左側）には縦長四角状の切欠角孔部２９０が設けられており、その切欠角孔部２９０には、第１封印部を構成する複数（本実施の形態では４個）の封印結合部２９１が縦一列に並ぶようにして設けられている。その周辺構成を図３４に拡大して示す。封印結合部２９１は筒体状をなし、左右両側の連結部２９２にて表ケース体２７１に連結されている。連結部２９２を切断することにより、封印結合部２９１を表ケース体２７１から切除できるようになっている。同じく切欠角孔部２９０には、前記複数の封印結合部２９１を挟むようにして、第２封印部を構成する複数（本実施の形態では２個）の封印結合部２９３が設けられている。封印結合部２９３は筒体状をなし、連結部２９４により表ケース体２７１に連結されている。連結部２９４を切断することにより、封印結合部２９３を表ケース体２７１から切除できるようになっている。
【０１７５】
かかる場合、第１，第２封印部を構成する封印結合部２９１，２９３は、表ケース体２７１に形成された切欠角孔部２９０に設けられているため、基板ケースの側方に張り出すように封印部が設けられる従来一般的な構成とは異なり、封印結合部２９１，２９３が側方にはみ出て邪魔になる等の不都合は生じない。また、封印結合部２９１，２９３が側方にはみ出ていないため、主制御装置２０１を単体で取り扱う場合等において、封印結合部２９１，２９３をぶつけて破損させてしまう等のおそれも生じない。
【０１７６】
表ケース体２７１の左端部は、主制御装置２０１を前記可動ベース板２１２にスライド装着する際の先頭部となっており、当該先端部には係止爪部２９５が設けられると共に、係止爪部２９５を挟むようにして一対のネジ孔部２９６が設けられている。主制御装置２０１を前記可動ベース板２１２に装着する際、係止爪部２９５が前記可動ベース板２１２に設けた係止孔部２４７に係止される。また、ネジ孔部２９６と前記可動ベース板２１２に設けた貫通孔２４８との位置が合い、その状態で貫通孔２４８及びネジ孔部２９６に小ネジ２９７が螺入されるようになっている。
【０１７７】
表ケース体２７１の切欠角孔部２９０の左側には、封印シールＳの貼付面を区画形成する囲い枠３３２が形成されている。主制御装置２０１を前記可動ベース板２１２に装着した際には、表ケース体２７１の囲い枠３３２と、前記可動ベース板２１２に形成した囲い枠３３１とが一体となり、全体として長方形枠状の囲い枠が形成されるようになっている。
【０１７８】
図３３の説明に戻り、表ケース体２７１の右端部には、第３封印部を構成する複数（本実施の形態では２個）の封印結合部３０１が設けられている。封印結合部３０１は筒体状をなし、連結部３０２により表ケース体２７１に連結されている。連結部３０２を切断することにより、封印結合部３０１を表ケース体２７１から切除できるようになっている。
【０１７９】
更に、表ケース体２７１の右端部には鍵取付金具３０５が取付固定されている。この鍵取付金具３０５は、図示しないネジ等の固定具により根元部分が表ケース体２７１に固定されている。鍵取付金具３０５の先端部は斜め外方に折り曲げられ、その折り曲げ部に鍵挿通孔３０５ａが形成されている（図３７等参照）。
【０１８０】
一方、裏ケース体２７２において、底板部３１１を挟んで図の上下両側部には、基板高さ方向に起立し先端部がＬ字状に形成された複数の引掛け部３１２が所定間隔で設けられている。引掛け部３１２は、前記表ケース体２７１の長孔２８６と同じ間隔で設けられており、表ケース体２７１の長孔２８６と裏ケース体２７２の引掛け部３１２とにより両ケース体２７１，２７２の組付が行われるようになっている。
【０１８１】
図３８（図２８のＢ−Ｂ線端面図）には、表ケース体２７１と裏ケース体２７２との組付構造を示す。図３８に示すように、裏ケース体２７２の引掛け部３１２は表ケース体２７１の長孔２８６に挿通され、その状態で引掛け部３１２が表ケース体２７１側の長孔２８６に形成された係止部２８６ａに係止される。これにより、裏ケース体２７２に対して表ケース体２７１が浮き上がることなく保持される。因みに、図３８は主制御装置２０１が台座装置２１０に組み付けられ、裏ケース体２７２に対して表ケース体２７１を横方向にスライドさせることが不可能な状態を図示しているが、台座装置２１０に組み付けていない状態を仮定すると、表ケース体２７１を一旦図３８の右方向にスライドさせ、その後上方に持ち上げることで裏ケース体２７２に対して表ケース体２７１を分離させることができる（図３８中の矢印Ｐに沿って表ケース体２７１を移動させる）。
【０１８２】
可動ベース板２１２において、図３８の左端部には返し部２１２ａが設けられており、この返し部２１２ａは固定ベース板２１１の軸支部２１６の下方（実際には図３２に示す孔部２１６ｂ）に入り込む構成となっている。従って、支柱ピン２１７が途中で切断されたり、同支柱ピン２１７が引き抜かれたりしても、それだけでは固定ベース板２１１に対して可動ベース板２１２が浮き上がらないようになっている。
【０１８３】
再び図３３の説明に戻り、裏ケース体２７２の左端部には、底板部３１１よりも左方に延出するようにして上下一対の延出部３１４ａ，３１４ｂが設けられており、その延出部３１４ａ，３１４ｂにはそれぞれ、第２封印部を構成する封印結合部３１５が設けられている。封印結合部３１５は、その底部が前記底板部３１１と同じ面で塞がれた筒体状をなしており、図の手前側にのみ開口している。延出部３１４ａ，３１４ｂは上下に分離して設けられており、両延出部３１４ａ，３１４ｂ間のスペースは、前記可動ベース板２１２に設けた複数の封印結合部２５１との干渉を避けるための空きスペースとなっている。
【０１８４】
図の上側の延出部３１４ａには、先端部に鍵挿通孔３１６ａを有する鍵取付金具３１６が取付固定されている。この鍵取付金具３１６は、図示しないネジ等の固定具により根元部分が裏ケース体２７２に固定されている。
【０１８５】
また、裏ケース体２７２の右端部には、第３封印部を構成する複数（本実施の形態では２個）の封印結合部３１７が設けられている。封印結合部３１７は連結部３１８により裏ケース体２７２に連結されている。連結部３１８を切断することにより、封印結合部３１７を裏ケース体２７２から切除できるようになっている。
【０１８６】
ここで、主制御装置２０１及び台座装置２１０の不正な取り外し行為等を抑制するための封印構造について説明する。本実施の形態では、封印構造が各々異なる３種類の封印部が設けられており、便宜上それらを第１封印部、第２封印部、第３封印部と言い分けて順に説明する。図３９は図２８のＣ−Ｃ線端面図に相当し、第１封印部の断面構造を示す。図４０は図２８のＤ−Ｄ線端面図であり、第２封印部の断面構造を示す。図４１は図２８のＥ−Ｅ線端面図であり、第３封印部の断面構造を示す。
【０１８７】
先ず第１封印部の構成を図３９に基づいて説明する。図３９において、（ａ）は封印前の状態を、（ｂ）は封印状態を、（ｃ）は封印解除の状態を、それぞれ示している。第１封印部は、表ケース体２７１に設けられた封印結合部２９１と可動ベース板２１２に設けられた封印結合部２５１との結合により封印状態となり得るものであり、便宜上、前者を「差込側結合部２９１」、後者を「受け側結合部２５１」と言い換えて説明を進める。
【０１８８】
図３９（ａ）に示すように、表ケース体２７１の差込側結合部２９１には、その上下方向に貫通する孔部２９１ａ（便宜上、上孔部と言う）が形成されており、可動ベース板２１２の受け側結合部２５１には、前記上孔部２９１ａに同軸で連通する孔部２５１ａ（便宜上、下孔部という）が形成されている。上孔部２９１ａの入口部には段差部２９１ｂが設けられ、下孔部２５１ａの入口部には上孔部２９１ａよりも拡径された拡径部２５１ｂが設けられている。
【０１８９】
符号２５１ｃ，２９１ｃは、受け側結合部２５１、差込側結合部２９１にそれぞれ設けられた半円状の返し部であり（返し部２５１ｃは主制御装置２０１のスライド方向前方に、返し部２９１ｃは主制御装置２０１のスライド方向後方に設けられている）、この返し部２５１ｃ，２９１ｃにて各結合部２５１，２９１が当接する。返し部２５１ｃ，２９１ｃにより、各結合部２５１，２９１の対向接合面が隠されるようになっている。
【０１９０】
なお、差込側結合部２９１を連結する連結部２９２は、図に隠れ線（点線）で示すように、上側が長く下側が短くなるような略逆台形状をしている。この場合特に、連結部２９２において差込側結合部２９１とは逆側の端部は、上側ほど外方に傾くようにして斜めテーパ状に形成されている。
【０１９１】
封印処理の実施時においては、図３９（ｂ）に示すように、差込側結合部２９１及び受け側結合部２５１の各孔部２９１ａ，２５１ａに、例えば合成樹脂製で略中空円筒状をなす封印ピン部材３２１が差し込まれる。封印ピン部材３２１は、図３６に示すように、中空状の筒部３２１ａと、フランジ状の頭部３２１ｂと、筒部３２１ａに例えば２カ所設けられ弾性変形可能な係止爪部３２１ｃとを有しており、通常状態では係止爪部３２１ｃが筒部３２１ａの外周よりも外方に突出し、外力を加えることで係止爪部３２１ｃが筒部３２１ａ内に没入することができる構造となっている。封印ピン部材３２１の頭部３２１ｂには、主制御装置２０１毎の識別情報（例えば識別コード）が付されている。
【０１９２】
封印ピン部材３２１の差し込み時には、封印ピン部材３２１の係止爪部３２１ｃが弾性変形し、頭部３２１ｂが上孔部入口の段差部２９１ｂに当たるまで差し込まれる。このとき、封印ピン部材３２１の係止爪部３２１ｃが下孔部２５１ａの拡径部２５１ｂに至ることで、当該係止爪部３２１ｃが起き上がり、係止爪部３２１ｃの後端面が差込側結合部２９１の先端面に係止される。これにより、第１封印部の封印が完了し、封印後の封印ピン部材３２１の抜け落ちが防止される。
【０１９３】
主制御装置２０１の不具合発生時や検査時などに際し、第１封印部の封印を解除する場合には、図３９（ｃ）に示すように、差込側結合部２９１と表ケース体２７１とを連結する連結部２９２をニッパ等の工具により切断する。受け側結合部２５１には封印ピン部材３２１の先端部が挿入されているだけであり、これら各部材２５１，３２１は何ら係止状態にないため、前記連結部２９２の切断により差込側結合部２９１と封印ピン部材３２１とが表ケース体２７１から容易に切除できる。このとき、図３９（ａ）で説明したとおり連結部２９２は上側が長く下側が短くなるような略逆台形状をしているため、ニッパ等の工具を差し入れやすい。また、連結部２９２において差込側結合部２９１とは逆側の端部は、上側ほど外方に傾くようにして斜めテーパ状に形成されているため、連結部２９２の切断後において差込側結合部２９１と封印ピン部材３２１とが上方に引き抜き易い。
【０１９４】
切除された差込側結合部２９１と封印ピン部材３２１とは、封印ピン部材３２１の係止爪部３２１ｃを指又は工具等で押さえて弾性変形させることで容易に分離することができる。分離された封印ピン部材３２１は何ら変形や破壊を伴っていることはなく、同一の封印ピン部材３２１が次回の封印に用いられる。
【０１９５】
前述したとおり封印ピン部材３２１の頭部３２１ｂには主制御装置２０１毎の識別情報が付されているため、封印ピン部材３２１の再使用により再度封印処理が行われた後には、前記識別情報を確認することで正規の手順通りに封印処理が行われたかどうかが確認できる。
【０１９６】
第１封印部の封印を解除する際、切断（破壊）される箇所は表ケース体２７１側の連結部２９２のみであり、封印相手側、すなわちこの場合は可動ベース板２１２はどこも破壊されない。つまり、表ケース体２７１と可動ベース板２１２間の封印処理及びその解除が繰り返し実施されたとしても、可動ベース板２１２は破壊もされず、封印履歴も残らない。従って、主制御装置２０１を交換する場合にも、可動ベース板２１２（すなわち台座装置２１０）がそのまま再使用できる。
【０１９７】
なお、第１封印部において、４つある封印箇所のどれを用いるかは予め順序が決められており、例えば図２８において上から順に１つずつ封印が行われる。封印後に切断処理（破壊処理）が施された封印箇所ではその封印履歴が残り、過去に何回の封印処理が行われたかが容易に確認できるようになっている。各封印箇所で封印処理が実施されたことは、表ケース体２７１の表面部等に貼付された封印記録票に記録される。例えば、封印記録票には、封印箇所毎に、封印処理の実施年月日や封印作業者名などが記録されるようになっている。この封印記録票は、後述する第２封印部、第３封印部についても同様に封印処理記録が残されるものであっても良い。
【０１９８】
次に、第２封印部の構成を図４０に基づいて説明する。第２封印部は、表ケース体２７１に設けられた封印結合部２９３と裏ケース体２７２に設けられた封印結合部３１５との結合により封印状態となり得るものであり、便宜上、前者を「差込側結合部２９３」、後者を「受け側結合部３１５」と言い換えて説明を進める。
【０１９９】
図４０に示すように、表ケース体２７１の差込側結合部２９３には、その上下方向に貫通する孔部２９３ａ（便宜上、上孔部と言う）が形成されており、裏ケース体２７２の受け側結合部３１５には、前記上孔部２９３ａに同軸で連通する孔部３１５ａ（便宜上、下孔部という）が形成されている。上孔部２９３ａには、後述する封印ネジ３２３の頭部を収納するための大径部と、それよりも小径な小径部とが形成されている。下孔部３１５ａには雌ネジ部が形成されている。そして、差込側結合部２９３及び受け側結合部３１５の各孔部２９３ａ，３１５ａに封印ネジ３２３がねじ込まれることで、第２封印部の封印が完了する。封印ネジ３２３は、中間部分に破断容易な破断部（縮径部）を有する、いわゆる破断ネジにより構成されており、当該ネジ３２３をドライバ等の締付け工具によりねじ込む際、所定以上のトルクがかかることで前記破断部が破断される。この破断により、封印ネジ３２３を一旦孔部２９３ａ，３１５ａにねじ込むと、その後は当該ネジ３２３を緩めることが不可能となるようになっている。
【０２００】
第２封印部の封印を解除するには、差込側結合部２９３と表ケース体２７１とを連結する連結部２９４をニッパ等の工具により切断すると共に（図のＸ１部）、受け側結合部３１５の底部をニッパ等の工具により切断する（図のＸ２部）。つまり、縦方向の切断処理と、それと直交する横方向の切断処理とが行われる。これにより、封印ネジ３２３を各ケース体２７１，２７２から分離させて第２封印部の封印を解くことができる。
【０２０１】
次に、第３封印部の構成を図４１に基づいて説明する。第３封印部は、表ケース体２７１に設けられた封印結合部３０１と裏ケース体２７２に設けられた封印結合部３１７との結合により封印状態となり得るものであり、便宜上、前者を「差込側結合部３０１」、後者を「受け側結合部３１７」と言い換えて説明を進める。
【０２０２】
図４１に示すように、表ケース体２７１の差込側結合部３０１には、その上下方向に貫通する孔部３０１ａ（便宜上、上孔部と言う）が形成されており、裏ケース体２７２の受け側結合部３１７には、前記上孔部３０１ａに同軸で連通する孔部３１７ａ（便宜上、下孔部という）が形成されている。上孔部３０１ａには、後述する封印ネジ３２５の頭部を収納するための大径部と、それよりも小径な小径部とが形成されている。下孔部３１７ａには雌ネジ部が形成されている。そして、差込側結合部３０１及び受け側結合部３１７の各孔部３０１ａ，３１７ａに封印ネジ３２５がねじ込まれることで、第３封印部の封印が完了する。封印ネジ３２５は、締付け方向に関してはドライバ等の締付け工具によりねじ込むことができるが、緩め方向に関しては緩めることができない、いわゆる一方向ネジ（ワンウェイネジとも称される）により構成されており、封印ネジ３２５を一旦孔部３０１ａ，３１７ａにねじ込むと、その後は当該ネジ３２５を緩めることが不可能となるようになっている。
【０２０３】
第３封印部の封印を解除するには、差込側結合部３０１と表ケース体２７１とを連結する連結部３０２と、受け側結合部３１７と裏ケース体２７２とを連結する連結部３１８とをまとめてニッパ等の工具により切断する（図のＸ３部）。これにより、封印ネジ３２５を各ケース体２７１，２７２から分離させて第３封印部の封印を解くことができる。
【０２０４】
上記説明では、第２封印部及び第３封印部に関して共に封印処理が行われているような記載をしたが、実際にはこれら各封印部には何れか一方にのみ封印処理が施される。例えば、スロットマシン１０の製造に際して基板ボックス（ケース体２７１，２７２）内への主基板２７３の収容時に第２封印部が封印される。そしてその後、検査等のために主制御装置２０１が回収された時、第２封印部が開封されるとともに、検査等の後に第３封印部が封印される。
【０２０５】
一方、図２９等に示すように、主基板ユニット２００の左側部において、可動ベース板２１２及び表ケース体２７１の囲い枠３３１，３３２に囲まれたシール貼付面には、可動ベース板２１２と表ケース体２７１とに跨るようにして長方形状の封印シールＳが貼付されている。封印シールＳは、一旦貼付された後に剥がされるとシールラベルから粘着剤が剥がれ、再度貼付することができないものであり、封印シールＳが剥がされた場合にはその形跡が残ることから、可動ベース板２１２から主制御装置２０１が取り外されたかどうかが確認できるものとなっている。可動ベース板２１２に主制御装置２０１を結合させた状態では、可動ベース板２１２に形成された係止孔部２４７及び貫通孔２４８と、表ケース体２７１に形成された係止爪部２９５及びネジ孔部２９６が組み合った状態となり、それらが封印シールＳにより覆い隠されるようになっている。
【０２０６】
上記のとおり封印シールＳは再貼付不可能な構成となっているが、封印シールＳを剥がした後に別のシール部材（貼付片）を貼付するような不正行為があり、こうした不正行為を抑制するには、封印シールＳの剥がし行為を抑制することが一対策であると考えられる。そこで本実施の形態では、封印シールＳの不正剥がし対策として、可動ベース板２１２の表面と表ケース体２７１の表面とからなるシール貼付面を囲い枠３３１，３３２で囲み、更にその囲い枠３３１，３３２の基端部付近、すなわち付け根部付近（シール貼付面の周縁部）を湾曲状に凹ませて形成している。具体的には、封印シールＳの長辺部に合わせてテーパ面が形成されることによってシール貼付面が湾曲形成されている。
【０２０７】
シール貼付面に封印シールＳを貼付した場合、封印シールＳの周縁部はシール貼付面の湾曲部に入り込み、封印シールＳの周縁部を爪等で引っ掛けたりすることが困難になる。そのため、封印シールＳを不正に剥がすことに対する抑止効果が得られる。本実施の形態の構成では、囲い枠３３１，３３２で囲んだシール貼付面が封印シールＳの大きさにほぼ一致しており、封印シールＳを貼付した状態では封印シールＳの周縁部には殆ど隙間がない状態となる。それ故、封印シールＳの周縁部を爪等で引っ掛けてこれを剥がすことがより一層困難となっている。
【０２０８】
図４２に示すように、主制御装置２０１を台座装置２１０に装着した状態では、可動ベース板２１２に設けた鍵取付金具２６１と、主制御装置２０１の裏ケース体２７２に設けた鍵取付金具３１６とが向かい合った状態となり、各鍵取付金具２６１，３１６の鍵挿通部２６１ａ，３１６ａを通じて南京錠などの鍵部材Ｋ１が取り付けられる。更に、固定ベース板２１１と可動ベース板２１２とを重ね合わせた状態では、固定ベース板２１１に設けた鍵取付金具２１９と、表ケース体２７１に設けた鍵取付金具３０５とが向かい合った状態となり、各鍵取付金具２１９，３０５の鍵挿通部２１９ａ，３０５ａを通じて南京錠などの鍵部材Ｋ２が取り付けられる。鍵部材Ｋ１，Ｋ２の解錠キーは遊技ホール管理者等により管理される。
【０２０９】
かかる構成では、鍵部材Ｋ２を取り外さない限りは固定ベース板２１１に対して可動ベース板２１２を回動させることはできない。また、仮に鍵部材Ｋ２を取り外したとしても、鍵部材Ｋ１を取り外さない限りは可動ベース板２１２から主制御装置２０１を取り外すことができない。従って、適正に管理された解錠キーの所有者でなければ、主制御装置２０１の取り外しができないようになる。
【０２１０】
前述した各封印部は元々切断（破壊）可能な構成となっており、開封履歴を残すことを主たる目的としているため、主制御装置２０１を持ち去る（盗み取る）ような不正行為に対しては抑止効果が発揮できないが、鍵部材Ｋ１，Ｋ２を取り付けた上記構成では、主制御装置２０１の持ち去りに対して抑止効果が発揮できる（主制御装置２０１の盗難防止対策となり得る）。
【０２１１】
なお、鍵取付金具２１９，３０５の先端部は、主制御装置２０１から外に逃げるようにして傾けて設けられている。これにより、表ケース体２７１の直ぐ横に鍵部材Ｋ２が取り付けられるとしても、表ケース体２７１等に邪魔されることなく鍵部材Ｋ２が装着できるようになっている。
【０２１２】
次に、主基板ユニット２００をリールユニット４００のベースフレーム４０１に取り付けた状態で主制御装置２０１を台座装置２１０から取り外す手順を図４３に基づいて説明する。図４３の（ａ）は、固定ベース板２１１に対して可動ベース板２１２を重ね合わせた状態（すなわち、通常の使用状態）を示し、（ｂ）は、固定ベース板２１１に対して可動ベース板２１２を手前側に回動させた状態を示し、（ｃ）は、可動ベース板２１２の回動状態で同可動ベース板２１２から主制御装置２０１をスライドさせた状態を示す。なお、ベースフレーム４０１の形状については、便宜上簡略化して示す。図４３では下側がスロットマシン前方であり、上側がスロットマシン後方である。
【０２１３】
（ａ）の状態では、固定ベース板２１１と可動ベース板２１２とが重なった状態となっており、固定ベース板２１１の係止爪部２１８が主制御装置２０１（実際には表ケース体２７１）の上面に係止されている。便宜上図示は省略しているが、主基板ユニット２００には鍵部材Ｋ１，Ｋ２が前述のとおり取り付けられており、固定ベース板２１１に対して可動ベース板２１２が回動不能となっている。このとき、主制御装置２０１はその表面部分がスロットマシン１０の前方側を向いており、主基板表面、すなわちＩＣチップ等の搭載面は前方より視認される。この状態で、主制御装置２０１は筐体１１の背板１１ｃよりも前方に位置しているため、主制御装置２０１に対する不正（基板表面の不正等）が容易に確認できる。
【０２１４】
また、（ｂ）に示す可動ベース板２１２の回動時には、鍵部材（少なくとも図４２の鍵部材Ｋ２）が取り外されるとともに、固定ベース板２１１の係止爪部２１８の係止が解除され、その状態で固定ベース板２１１に対して可動ベース板２１２が図示の如く回動される。このとき、可動ベース板２１２は支柱ピン２１７を回動中心として最大９０度程度回動され、可動ベース板２１２とともに主制御装置２０１の回動先端部側が手前側に引き寄せられる。かかる状態では、主制御装置２０１の裏面側（すなわち主基板２７３の裏面）を視認することが可能となり、各種電子部品や電気配線等に異常や不正が無いか等の確認を行うことができる。またこのとき、主制御装置２０１は元々筐体１１の背板１１ｃよりも前方に位置しているため、可動ベース板２１２とともに主制御装置２０１を手前側に回動させた場合には、主制御装置２０１の不正確認等がより容易なものとなる。
【０２１５】
（ｂ）の如く可動ベース板２１２と主制御装置２０１とを固定ベース板２１１に対して回動させた時、主制御装置２０１は真正面側より視認される状態から、斜め横方より視認される状態に移行する。従って、主制御装置２０１の真正面からは視認しづらい箇所、すなわち主基板２７３の基板面に概ね垂直となる直立面部に付された情報等であっても、可動ベース板２１２の回動により視認容易とすることができる。例えば、主基板２７３上に実装された縦型のＩＣチップ２７４では、チップ側面に印刷された製造メーカや品番等の情報が容易に視認できるようになる。
【０２１６】
なお因みに、実際のスロットマシン１０の構成では、図４等に示すように、主制御装置２０１の前方空間が開放されており、可動ベース板２１２の前方側への回動動作には何ら支障が生じることはない。仮に前面扉１２の裏面にスロットマシン後方に突出する装置や機構が設けられていても、前面扉１２の開放に伴い主制御装置２０１の前方空間が開放され、やはり可動ベース板２１２の回動動作に支障は生じない。
【０２１７】
また、図４３の（ｃ）に示す主制御装置２０１のスライド時には、鍵部材（図４２の鍵部材Ｋ１）が取り外されるとともに、第１封印部（可動ベース板２１２と表ケース体２７１間の封印）が開封される。更に、表ケース体２７１の左端部に設けた係止爪部２９５の係止やネジ孔部２９６でのネジ固定が解除される。そして、その状態で可動ベース板２１２上を主制御装置２０１がスライド動作される。これにより、可動ベース板２１２の回動先端部側（図３２の基板装着口２４５）から主制御装置２０１を離脱させることが可能となる。
【０２１８】
次に、本スロットマシン１０の電気的構成について、図４４のブロック図に基づいて説明する。
【０２１９】
主制御装置２０１には、演算処理手段であるＣＰＵ７０１を中心とするマイクロコンピュータが搭載されている。ＣＰＵ７０１には、電源ボックス１００の内部に設けられた電源装置７１１の他に、所定周波数の矩形波を出力するクロック回路７０４や、入出力ポート７０５などが内部バスを介して接続されている。かかる主制御装置２０１は、スロットマシン１０に内蔵されるメイン基盤としての機能を果たすものである。
【０２２０】
主制御装置２０１の入力側には、スタートスイッチ４５の操作を検出するスタート検出センサ７２１、各ストップスイッチ５２〜５４の操作を個別に検出するストップ検出センサ７２２，７２３，７２４、メダル投入装置４１から投入されたメダルを検出する投入メダル検出センサ７２５、各ベットスイッチ４２〜４４の操作を個別に検出するベット検出センサ７２６〜７２８、精算スイッチ５６の操作を検出する精算検出センサ７２９、各リール４７１〜４７３の回転位置（原点位置）を個別に検出するリールインデックスセンサ７３１、ホッパ装置１１０から払い出されるメダルを検出する払出検出センサ７３２、電源ボックス１００に設けたリセットスイッチ１０２の操作を検出するリセット検出センサ７３３、設定キー挿入孔１０３に設定キーが挿入されたことを検出する設定キー検出センサ７３４等の各種センサが接続されており、これら各種センサからの信号は入出力ポート７０５を介してＣＰＵ７０１へ出力されるようになっている。
【０２２１】
なお、投入メダル検出センサ７５ａは実際には複数個のセンサより構成されている。即ち、メダル投入装置４１からホッパ装置１１０に至る貯留用通路９２は、メダルが１列で通行可能なように構成されている。そして、貯留用通路９２には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７２５が構成されている。主制御装置２０１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置２０１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路９２でのメダル詰まりの他、メダルを投入メダル検出センサ７２５付近で往復動させてメダル投入と誤認させる不正を防止するためである。
【０２２２】
また、主制御装置２０１の入力側には、入出力ポート７０５を介して電源装置７１１に設けられた停電監視回路７１１ｂが接続されている。電源装置７１１には、主制御装置２０１を始めとしてスロットマシン１０の各電子機器に駆動電力を供給する電源部７１１ａや、上述した停電監視回路７１１ｂなどが搭載されている。
【０２２３】
停電監視回路７１１ｂは電源の遮断状態を監視し、停電時はもとより、電源ボックスに設けた電源スイッチによる電源遮断時に停電信号を生成するためのものである。そのため停電監視回路７１１ｂは、電源部７１１ａから出力されるこの例では直流１２ボルトの安定化駆動電圧を監視し、この駆動電圧が例えば１０ボルト未満まで低下したとき電源が遮断されたものと判断して停電信号を出力するように構成されている。停電信号はＣＰＵ７０１と入出力ポート７０５のそれぞれに供給され、ＣＰＵ７０１はこの停電信号を認識することにより停電時処理を実行する。
【０２２４】
電源部７１１ａからは出力電圧が２２ボルト未満まで低下した場合でも、主制御装置２０１などの制御系における駆動電圧として使用される５ボルトの安定化電圧が出力されるように構成されており、この安定化電圧が出力されている時間としては、主制御装置２０１による停電時処理を実行するに十分な時間が確保されている。
【０２２５】
主制御装置２０１の出力側には、残数表示部６１、ゲーム数表示部６２、獲得枚数表示部６３、各リール４７１〜４７３を回転させるための各ステッピングモータ４７５等、セレクタ９１に設けられたメダル通路切替ソレノイド、ホッパ装置１１０、表示制御装置６０１、図示しないホール管理装置などに情報を送信できる外部集中端子板７４０等が入出力ポート７０５を介して接続されている。
【０２２６】
表示制御装置６０１は、中央ランプ部２６や側方ランプ部２８等の各種ランプ、スピーカ６０３，６０４等の各種スピーカ、液晶表示装置６００を駆動させるための制御装置であり、これらを駆動させるためのＣＰＵ、ＲＯＭ、ＲＡＭ等が一体化された基板を備えている。そして、主制御装置２０１からの信号を受け取った上で、表示制御装置６０１が独自に各種ランプ、各種スピーカ及び液晶表示装置６００を駆動制御する。従って、表示制御装置６０１は、遊技を統括管理するメイン基板たる主制御装置２０１との関係では補助的な制御を実行するサブ基板となっている。即ち、間接的な遊技に関する音声やランプ、表示についてはサブ基板を設けることにより、メイン基板の負担軽減を図っている。なお、各種表示部６１〜６３を表示制御装置６０１が制御する構成としてもよい。
【０２２７】
上述したＣＰＵ７０１には、このＣＰＵ７０１によって実行される各種の制御プログラムや固定値データを記憶したＲＯＭ７０２と、このＲＯＭ７０２内に記憶されている制御プログラムを実行するに当たって各種のデータを一時的に記憶する作業エリアを確保するためのＲＡＭ７０３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ７０２とＲＡＭ７０３によって記憶手段としてのメインメモリが構成され、各種のプログラムは、制御プログラムの一部として上述したＲＯＭ７０２に記憶されている。
【０２２８】
ＲＡＭ７０３は、スロットマシン１０の電源が遮断された後においても電源装置７１１からバックアップ電圧が供給されてデータを保持（バックアップ）できる構成となっており、ＲＡＭ７０３には、各種のデータ等を一時的に記憶するためのメモリやエリアの他に、バックアップエリアが設けられている。
【０２２９】
バックアップエリアは、停電などの発生により電源が遮断された場合において、電源遮断時（電源ボックス１００に設けた電源スイッチの操作による電源遮断をも含む。以下同様）のスタックポインタや、各レジスタ、Ｉ／Ｏ等の値を記憶しておくためのエリアであり、停電解消時（電源スイッチの操作による電源投入をも含む。以下同様）には、バックアップエリアの情報に基づいてスロットマシン１０の状態が電源遮断前の状態に復帰できるようになっている。バックアップエリアへの書き込みは停電時処理によって電源遮断時に実行され、バックアップエリアに書き込まれた各値の復帰は電源投入時のメイン処理において実行される。なお、ＣＰＵ７０１のＮＭＩ端子（ノンマスカブル割込端子）には、停電等の発生による電源遮断時に、停電監視回路７１１ｂからの停電信号が入力されるように構成されており、停電等の発生に伴う停電フラグ生成処理としてのＮＭＩ割込み処理が即座に実行される。
【０２３０】
以上詳述した本実施の形態によれば、以下の優れた効果を奏する。
【０２３１】
リールユニット４００を構成するベースフレーム４０１の底部に、滑り部４１６ａ，４１８ａを一体成形したため、リールユニット４００の着脱時には滑り部４１６ａ，４１８ａによってリールユニット４００の前後方向への移動が容易化される。この場合、滑り部４１６ａ，４１８ａはベースフレーム４０１の一部として一体成形されているために適度な摩擦抵抗を付与することができ、ユニットの底部にローラを取り付けた従来技術とは異なり、不意にリールユニット４００が移動してしまうといった不都合が抑制できる。つまり、作業者がリールユニット４００を押したりしなければ当該ユニット４００が動くことはなく、リールユニット４００が筐体１１の背板１１ｃに衝突したり、筐体１１の手前側に落下しそうになったりすることが抑制できる。また、ローラやその他付随する付加構成が不要となり、コスト削減や製造工程の削減等を図ることもできる。以上により、構成の簡素化を図り、しかもリールユニット４００の着脱を容易とするという優れた効果が実現できる。
【０２３２】
ベースフレーム４０１は合成樹脂製の枠体であり、リールユニット４００を構成する上で、全体の軽量化が図られている。これに加え、滑り部４１６ａ，４１８ａやガイドリブ４３５，４３６はベースフレーム４０１に一体成形されているため、このことからも軽量化が図られている。
【０２３３】
ベースフレーム４０１の滑り部４１６ａ，４１８ａが、ベースフレーム４０１の底部より下方に突出し、その外形線が曲線状（Ｒ形状）をなすよう形成されているため、リールユニット４００の着脱時において、ベースフレーム４０１と筐体１１側の支持レール部材１５１，１５２とが常に同じ状態で接触する。そのため、支持レール部材１５１，１５２に対してリールユニット４００が若干傾いていても、当該ユニット４００を安定した状態で支えることが可能となり、リールユニット４００の着脱の容易化に貢献できる。
【０２３４】
滑り部４１６ａ，４１８ａをベースフレーム４０１の背側底部に設けたため、リールユニット４００の装着作業に際し、リールユニット４００の手前側を持ち上げるようにしながら同ユニット４００を奥側へ押し込むことでその装着作業を行うことができる。この場合、作業性が向上する。
【０２３５】
ユニット載置部として、筐体１１の左右両側板１１ｄ，１１ｅにそれぞれ支持レール部材１５１，１５２を分離して設けたため、ユニット載置の機能を確保しつつ、スロットマシン１０全体としての重量軽減を図ることができる。
【０２３６】
リールユニット４００の着脱時には、滑り部４１６ａ，４１８ａが支持レール部材１５１，１５２の水平部１５１ａ，１５２ａ上を滑り、同ユニット４００の装着完了時には、滑り部４１６ａ，４１８ａが支持レール部材１５１，１５２の後方傾斜部１５１ｃ，１５２ｃに誘導される構成としたため、リールユニット４００の装着が完了した状態では滑り部４１６ａ，４１８ａが機能せず、リールユニット４００の不意の移動が確実に抑制できる。また、支持レール部材１５１，１５２に水平部１５１ａ，１５２ａと後方傾斜部１５１ｃ，１５２ｃとを連続的に設けたことで、リールユニット４００の出し入れが容易となる。このとき、リールユニット４００を装着する際には、装着完了時の衝撃を緩和することができ、同リールユニット４００を離脱する際には、初期の引き寄せをスムーズに行うことができる。
【０２３７】
ベースフレーム４０１の底部には、滑り部４１６ａ，４１８ａに対して支持レール部材１５１，１５２の横方向の長さ分だけ内側の位置に、滑り部４１６ａ，４１８ａよりも下方に突出するようにしてガイドリブ４３５，４３６を設けたため、リールユニット４００が左右横方向にずれる等の不都合が抑制できる。故に、リールユニット４００の装着又は離脱の作業性が向上する。また、ガイドリブ４３５，４３６を左右一対設けることで、リールユニット４００が筐体１１の側板１１ｄ，１１ｅに突き当たる等の不都合が解消できる。
【０２３８】
本スロットマシン１０では、リールユニット４００を交換可能ユニットとしているため、遊技ホールでの機種入替の際には、リールユニット４００の交換だけで入替作業を完了することができる。故に、機種入替に要する手間やコストを大幅に削減することが可能となる。例えば、旧マシンの筐体を島設備から取り外す作業や、新マシンの筐体を島設備に固定する作業等（釘打ち作業など）が不要となる。またこの場合、リールユニット４００以外の構成（筐体１１、下扉１３、電源ボックス１００、ホッパ装置１１０等）は繰り返し使用されるため、各種部材のリユースを促進することができ、環境保全の観点からも望ましいと言える。
【０２３９】
図４５及び図４６には、別の構成のスロットマシン８００を示す。なお図４５，図４６では、前記図１等で説明したスロットマシン１０と構成を等しくする部材につては同じ部材番号を付し説明を省略する。
【０２４０】
スロットマシン８００では、前記図１等で説明したスロットマシン１０と比較して、テーブル部４０上に設けた三角山形状のストップ操作装置５０を無くし、それに代えて３つのストップスイッチ５２〜５４をテーブル部４０上に直に設けている。この場合、前記図１等のスロットマシン１０では、ストップスイッチ５２〜５４のスイッチ片が若干上向きでほぼ鉛直に起立しており、手前側からのスイッチ押し操作が有効となったが、スロットマシン８００では、ストップスイッチ５２〜５４のスイッチ片がほぼ水平に寝ており、ほぼ真上からのスイッチ押し操作が有効となる。故に、テーブル部４０上に手を置いた状態で、まるでパソコンキーボードを操作するような手つきでのスイッチ操作が可能となっている。
【０２４１】
また、テーブル部４０上において、手動投入式のメダル投入装置４１に代えて、自動取り込み式のメダル投入装置８０１を設けている。メダル投入装置８０１は、テーブル部４０の内方に電動式のメダル取込装置を備えており、皿部８０２に載せられたメダルが順次自動的に取り込まれるようになっている。因みに、スロットマシン８００では、遊技パネル２１の背面側に１７ワイドインチ液晶装置（縦寸法は１５インチ液晶装置と同じだが、横寸法を拡張したもの）を搭載した事例を示しており、前記図１等のスロットマシン１０に比べて、遊技パネル２１の縁部付近にまで液晶表示画面が設定されている。ワイドタイプの液晶装置を使うことで、ダイナミックな表示演出が可能となる。
【０２４２】
上記のとおり、図１等のスロットマシン１０と図４５等のスロットマシン８００とでは、テーブル部４０上の構成が相違するが、そのテーブル部４０と各種スイッチ等とはユニット化されており、ユニット単位での交換が可能となっている。
【０２４３】
なお、上述した実施の形態の記載内容に限定されず、例えば次のように実施してもよい。
【０２４４】
（ａ）前述したスロットマシン１０等では、操作部として手前側の縁部が弧状をなす形状のテーブル部４０を設け、該テーブル部４０上に各ベットスイッチ４２〜４４、スタートスイッチ４５、各ストップスイッチ５２〜５４といった操作部材を設けて構成したが、この操作部の構成を変更しても良い。テーブル部４０の手前側縁部を左右方向に延びる直線状にしても良い。また、既存のスロットマシン（従来機）にあるように、手前側に帯状に張り出した操作部を設け、その上面に各ベットスイッチを、前面にスタートレバーやストップスイッチを設ける構成としても良い。
【０２４５】
（ｂ）上記実施の形態のスロットマシンでは、補助表示部として比較的大きな画面を有する液晶表示装置（１５インチ又は１７ワイドインチ液晶装置）を搭載し、それに伴い操作部（テーブル部４０）を従来機よりも下方の高さ位置に設けたが、通常サイズの液晶表示装置を搭載し、操作部を従来機と同じ高さ位置に設ける構成としても良い。また、補助表示装置として、液晶表示装置以外の例えばドットマトリックス表示器などを搭載した構成、或いは補助表示部を搭載しない構成であっても良い。
【０２４６】
（ｃ）上記実施の形態では、リールユニット４００を構成する３つのリール４７１〜４７３を、各々個別に取り外し可能としたが、３つのリール４７１〜４７３を一体化してサブアセンブリ化しても良い。
【０２４７】
（ｄ）筐体１１の内部を仕切板で上下に分割し、その仕切板上にリールユニット４００を搭載する構成としても良い。この場合、仕切板は、筐体１１の左右の側板１１ｄ，１１ｅ間で設けられる。
【０２４８】
（ｅ）上記実施の形態では、前面扉１２を上扉１３と下扉１４とで構成し、それら各扉１３，１４を連結板６５１にて連結したが、この連結を無くした構成としても良い。つまり、連結を無くすことで、上扉１３と下扉１４とは各々個別に開閉操作できるようになる。
【０２４９】
（ｆ）上記実施の形態では、上扉１３をリールユニット４００に開閉可能に取り付けると共に、下扉１４を筐体１１に開閉可能に取り付けたが、この構成を変更する。例えば、上扉１３と下扉１４とを共に筐体１１に開閉可能に取り付ける構成としても良い。又は、前面扉１２を上下に分割せずに構成し、その前面扉１２を筐体１１に開閉可能に取り付ける構成としても良い。但し、リールユニット４００は、前記同様、リール装置４０６や主制御装置２０１を搭載する構成とする。
【０２５０】
（ｇ）上記実施の形態では、リールユニット４００を搭載するためのユニット載置部としての支持レール部材１５１，１５２に、後方傾斜部１５１ｃ、１５２ｃを設ける構成としたが、その後方傾斜部１５１ｃ、１５２ｃを設けない構成であっても良い。
【０２５１】
（ｈ）リールユニット４００を構成するベースフレーム４０１の滑り部４１６ａ，４１８ａにおいて、支持レール部材１５１，１５２との対向面に、所定の摩擦係数を持たせた表層部を設ける構成としても良い。表層部としては、滑り部４１６ａ，４１８ａの表面を加工により所定の粗度とすること、所定の摩擦係数の貼付部材（テープ材など）を貼付すること等で実現できる。また逆に、支持レール部材１５１，１５２に、所定の摩擦係数を持たせた表層部を設ける構成としても良い。この場合、滑り部４１６ａ，４１８ａと支持レール部材１５１，１５２との接触部において、作業負荷等を考慮した最適な摩擦抵抗を付与することが可能となる。
【０２５２】
（ｉ）上記実施の形態では、ベースフレーム４０１の背面枠部４１４の下面隅部においてガイドリブ４３５，４３６を設けたが、このガイドリブ４３５，４３６を設けない構成としても良い。
【０２５３】
（ｊ）主制御装置２０１を回動可能に搭載するための台座装置を、ベースフレーム４０１に一体的に設ける構成としても良い。これにより、部品点数の削減、製造工程の削減、コスト低減等を図ることができる。
【０２５４】
（ｋ）スロットマシンの前面部に、液晶表示装置に表示される各種キャラクタや背景画像等を選択的に切り換えるための選択スイッチを設けても良い。例えば、当該選択スイッチを、テーブル部４０上や、メダル投入装置４１の上方に設置すると良い。
【０２５５】
（ｌ）上記実施の形態では、リールユニット４００の上部後方領域（ベースフレーム４０１の上背面部４３１の後方）を利用してウーハ装置１５８を配設したが、他の部材を配設しても良い。
【０２５６】
（ｍ）上記実施の形態では、リールユニット４００に主制御装置２０１を装着する構成として、前方への回動を可能とするタイプの主基板ユニット２００を設けたが、その回動機構を無くし、単に主制御装置２０１をベースフレーム４０１に固定する構成としても良い。主制御装置２０１を固定する構成としても、ベースフレーム４０１の構成により筐体１１の背板１１ｃよりは手前側に主制御装置２０１を配置できるため、前方からの視認等は好適に実施できる。
【０２５７】
（ｎ）上記実施の形態では、主基板ユニット２００の第１封印部において、差込側結合部２９１を表ケース体２７１に４連で並設すると共に、それに対応させて受け側結合部２５１を可動ベース板２１２に４連で並設したが、この構成を変更する。４連の受け側結合部のうち少なくとも１つを裏ケース体２７２に設ける。この構成としても、適切な封印構造が実現できることに変わりない。また、表ケース体２７１と可動ベース板２１２とで行われる封印に代えて、裏ケース体２７２と可動ベース板２１２とで行われる封印とする、又は表裏のケース体２７１，２７２で行われる封印とすることも可能である。
【符号の説明】
【０２５８】
１０…遊技機としてのスロットマシン、１１…筐体、１１ｃ…背板、１１ｄ…左側板、１１ｅ…右側板、１２…前面扉、１３…上扉、１４…下扉、２３…表示窓、４５…スタートスイッチ、５２〜５４…ストップスイッチ、１５１，１５２…支持レール部材、２００…主基板ユニット、２０１…主制御装置、２１０…台座装置、４００…リールユニット、４０１…ベースフレーム、４１６ａ，４１８ａ…滑り部、４３５，４３６…ガイドリブ、４７１〜４７３…リール、８００…スロットマシン。
【図１】
0005494581.tif 000002
【図２】
0005494581.tif 000003
【図３】
0005494581.tif 000004
【図４】
0005494581.tif 000005
【図５】
0005494581.tif 000006
【図６】
0005494581.tif 000007
【図７】
0005494581.tif 000008
【図８】
0005494581.tif 000009
【図９】
0005494581.tif 000010
【図１０】
0005494581.tif 000011
【図１１】
0005494581.tif 000012
【図１２】
0005494581.tif 000013
【図１３】
0005494581.tif 000014
【図１４】
0005494581.tif 000015
【図１５】
0005494581.tif 000016
【図１６】
0005494581.tif 000017
【図１７】
0005494581.tif 000018
【図１８】
0005494581.tif 000019
【図１９】
0005494581.tif 000020
【図２０】
0005494581.tif 000021
【図２１】
0005494581.tif 000022
【図２４】
0005494581.tif 000023
【図２５】
0005494581.tif 000024
【図２６】
0005494581.tif 000025
【図２７】
0005494581.tif 000026
【図２８】
0005494581.tif 000027
【図２９】
0005494581.tif 000028
【図３０】
0005494581.tif 000029
【図３１】
0005494581.tif 000030
【図３２】
0005494581.tif 000031
【図３３】
0005494581.tif 000032
【図３４】
0005494581.tif 000033
【図３５】
0005494581.tif 000034
【図３６】
0005494581.tif 000035
【図３７】
0005494581.tif 000036
【図３８】
0005494581.tif 000037
【図３９】
0005494581.tif 000038
【図４０】
0005494581.tif 000039
【図４１】
0005494581.tif 000040
【図４２】
0005494581.tif 000041
【図４３】
0005494581.tif 000042
【図４４】
0005494581.tif 000043
【図４５】
0005494581.tif 000044
【図４６】
0005494581.tif 000045
【図２２】
0005494581.tif 000046
【図２３】
0005494581.tif 000047